(57)【特許請求の範囲】
【請求項１】
かかと領域から前足部領域まで伸びている、0.25g/cm3未満の密度を有するフォームミッドソール部品、
該フォームミッドソール部品とは別個の、該フォームミッドソール部品の後部かかと区域の側面領域および底面領域を覆う第一の後部かかとケージ部品であって、少なくとも部分的にフォーム材料から形成される、第一の後部かかとケージ部品、
該フォームミッドソール部品とは別個の、該フォームミッドソール部品の前部かかと区域の側面領域および底面領域を覆う第一の前部かかとケージ部品であって、第一の空間が、該第一の後部かかとケージ部品と該第一の前部かかとケージ部品との間に存在し、該第一の前部かかとケージ部品が、少なくとも部分的にフォーム材料から形成される、第一の前部かかとケージ部品、
該フォームミッドソール部品とは別個の、該フォームミッドソール部品の中足部区域の側面領域および底面領域を覆う第一の中足部ケージ部品であって、第二の空間が、該第一の前部かかとケージ部品と該第一の中足部ケージ部品との間に存在し、該第一の中足部ケージ部品が、少なくとも部分的にフォーム材料から形成される、第一の中足部ケージ部品、および
該フォームミッドソール部品とは別個の、該フォームミッドソール部品の前足部区域の側面領域および底面領域を覆う第一の前足部ケージ部品であって、第三の空間が、該第一の中足部ケージ部品と該第一の前足部ケージ部品との間に存在し、該第一の前足部ケージ部品が、少なくとも部分的にフォーム材料から形成される、第一の前足部ケージ部品
を含む、フットウェア製品のためのソール構造。
【請求項２】
フォームミッドソール部品とは別個の、フォームミッドソール部品の後部かかと区域の側面領域および底面領域を覆う第二の後部かかとケージ部品であって、第二の後部かかとケージ部品が、少なくとも部分的にフォーム材料から形成され、第一の後部かかとケージ部品が、ソール構造の外側に位置し、第二の後部かかとケージ部品が、該ソール構造の内側に位置する、第二の後部かかとケージ部品
をさらに含む、請求項1記載のソール構造。
【請求項３】
フォームミッドソール部品とは別個の、フォームミッドソール部品の前部かかと区域の側面領域および底面領域を覆う第二の前部かかとケージ部品であって、第二の前部かかとケージ部品が、少なくとも部分的にフォーム材料から形成され、第一の前部かかとケージ部品が、ソール構造の外側に位置し、第二の前部かかとケージ部品が、該ソール構造の内側に位置する、第二の前部かかとケージ部品
をさらに含む、請求項1記載のソール構造。
【請求項４】
フォームミッドソール部品とは別個の、フォームミッドソール部品の中足部区域の側面領域および底面領域を覆う第二の中足部ケージ部品であって、第二の中足部ケージ部品が、少なくとも部分的にフォーム材料から形成され、第一の中足部ケージ部品が、ソール構造の外側に位置し、第二の中足部ケージ部品が、該ソール構造の内側に位置する、第二の中足部ケージ部品
をさらに含む、請求項1記載のソール構造。
【請求項５】
フォームミッドソール部品とは別個の、フォームミッドソール部品の前部かかと区域の側面領域および底面領域を覆う第二の前部かかとケージ部品であって、第二の前部かかとケージ部品が、少なくとも部分的にフォーム材料から形成され、第一の前部かかとケージ部品が、ソール構造の外側に位置し、第二の前部かかとケージ部品が、該ソール構造の内側に位置する、第二の前部かかとケージ部品、および
該フォームミッドソール部品とは別個の、該フォームミッドソール部品の中足部区域の側面領域および底面領域を覆う第二の中足部ケージ部品であって、第二の中足部ケージ部品が、少なくとも部分的にフォーム材料から形成され、第一の中足部ケージ部品が、該ソール構造の該外側に位置し、第二の中足部ケージ部品が、該ソール構造の該内側に位置する、第二の中足部ケージ部品
をさらに含む、請求項1記載のソール構造。
【請求項６】
第一の後部かかとケージ部品が、ソール構造の外側から内側まで伸びており、第一の前部かかとケージ部品が、該ソール構造の該外側から該内側まで伸びており、第一の中足部ケージ部品が、該ソール構造の該外側から該内側まで伸びており、第一の前足部ケージ部品が、該ソール構造の該外側から該内側まで伸びている、請求項1記載のソール構造。
【請求項７】
第一の空間が、第一の後部かかとケージ部品と第一の前部かかとケージ部品との間に実質的に横の屈曲ラインを提供するように、ソール構造の内側から外側まで実質的に横方向に伸びている部分を含む、請求項6記載のソール構造。
【請求項８】
第二の空間が、第一の前部かかとケージ部品と第一の中足部ケージ部品との間に実質的に横の屈曲ラインを提供するように、ソール構造の内側から外側まで実質的に横方向に伸びている部分を含む、請求項6記載のソール構造。
【請求項９】
第三の空間が、第一の中足部ケージ部品と第一の前足部ケージ部品との間に実質的に横の屈曲ラインを提供するように、ソール構造の内側から外側まで実質的に横方向に伸びている部分を含む、請求項6記載のソール構造。
【請求項１０】
第一の後部かかとケージ部品の底面と係合している第一のアウトソール部品、
第一の前部かかとケージ部品の底面と係合している第二のアウトソール部品、
第一の中足部ケージ部品の外側で係合している第三のアウトソール部品、
該第一の中足部ケージ部品の内側で係合している第四のアウトソール部品、および
第一の前足部ケージ部品と係合している第五のアウトソール部品
をさらに含む、請求項1記載のソール構造。
【請求項１１】
第一のアウトソール部品、第二のアウトソール部品、第三のアウトソール部品、第四のアウトソール部品、および第五のアウトソール部品の少なくとも1つが、ゴム材料を含む、請求項10記載のソール構造。
【請求項１２】
第三の空間内でフォームミッドソール部品の底面と係合している第一のアウトソール部品
をさらに含む、請求項1記載のソール構造。
【請求項１３】
第三の空間内でフォームミッドソール部品の底面と係合している離れた複数のアウトソール部品
をさらに含む、請求項1記載のソール構造。
【請求項１４】
第一の後部かかとケージ部品が、エチルビニルアセテートフォーム、ポリウレタンフォーム、およびゴム材料からなる群より選択される少なくとも1種の材料を含む、請求項1記載のソール構造。
【請求項１５】
第一の前部かかとケージ部品が、エチルビニルアセテートフォームおよびポリウレタンフォームからなる群より選択される少なくとも1種の材料を含む、請求項1記載のソール構造。
【請求項１６】
第一の中足部ケージ部品が、エチルビニルアセテートフォームおよびポリウレタンフォームからなる群より選択される少なくとも1種の材料を含む、請求項1記載のソール構造。
【請求項１７】
第一の前足部ケージ部品が、エチルビニルアセテートフォームおよびポリウレタンフォームからなる群より選択される少なくとも1種の材料を含む、請求項1記載のソール構造。
【請求項１８】
第一の後部かかとケージ部品、第一の前部かかとケージ部品、第一の中足部ケージ部品、または第一の前足部ケージ部品のうちの少なくとも1つが、少なくとも部分的に、フォームミッドソール部品の密度よりも高い密度を有するフォーム材料から形成される、請求項1記載のソール構造。
【請求項１９】
第一の後部かかとケージ部品の外方側縁部の少なくとも一部分が、波状の構造を含む、請求項1記載のソール構造。
【請求項２０】
第一の前部かかとケージ部品の外方側縁部の少なくとも一部分が、波状の構造を含む、請求項1記載のソール構造。
【請求項２１】
第一の中足部ケージ部品の外方側縁部の少なくとも一部分が、波状の構造を含む、請求項1記載のソール構造。
【請求項２２】
第一の前足部ケージ部品の外方側縁部の少なくとも一部分が、波状の構造を含む、請求項1記載のソール構造。
【請求項２３】
第一の後部かかとケージ部品の外方側縁部の少なくとも一部分が、波状の構造を含み、フォームミッドソール部品の上部縁部が、該第一の後部かかとケージ部品の該波状の構造に隣接して波状の構造を含む、請求項1記載のソール構造。
【請求項２４】
第一の前部かかとケージ部品の外方側縁部の少なくとも一部分が、波状の構造を含み、フォームミッドソール部品の上部縁部が、該第一の前部かかとケージ部品の該波状の構造に隣接して波状の構造を含む、請求項1記載のソール構造。
【請求項２５】
第一の中足部ケージ部品の外方側縁部の少なくとも一部分が、波状の構造を含み、フォームミッドソール部品の上部縁部が、該第一の中足部ケージ部品の該波状の構造に隣接して波状の構造を含む、請求項1記載のソール構造。
【請求項２６】
第一の前足部ケージ部品の外方側縁部の少なくとも一部分が、波状の構造を含み、フォームミッドソール部品の上部縁部が、該第一の前足部ケージ部品の該波状の構造に隣接して波状の構造を含む、請求項1記載のソール構造。
【請求項２７】
第一の空間内に露出しているフォームミッドソール部品の外面が、フットウェア製品の横方向での全幅寸法よりも長い、該フットウェア製品の縦方向での全長寸法を有する、請求項1記載のソール構造。
【請求項２８】
第三の空間内に露出しているフォームミッドソール部品の外面が、実質的にU字形の周囲を含む、請求項1記載のソール構造。
【請求項２９】
第二の空間内に露出しているフォームミッドソール部品の外面が、フットウェア製品の縦方向での全長寸法よりも長い、該フットウェア製品の横方向での全幅寸法を有する、請求項1記載のソール構造。
【請求項３０】
後部かかと領域からフロント前足部領域まで連続的に伸びている、0.25g/cm3未満の密度を有するフォームミッドソール部品、
該フォームミッドソール部品とは別個の、該フォームミッドソール部品の後部かかと区域の側面領域および底面領域を覆う後部かかとケージ部品であって、ソール構造の外側から内側まで伸びており、少なくとも部分的に、該フォームミッドソール部品の該密度よりも高い密度を有するフォーム材料から形成される、後部かかとケージ部品、
該フォームミッドソール部品とは別個の、該フォームミッドソール部品の前部かかと区域の側面領域および底面領域を覆う前部かかとケージ部品であって、該前部かかとケージ部品が、該ソール構造の該外側から該内側まで伸びており、第一の空間が、該後部かかとケージ部品と該前部かかとケージ部品との間に存在し、該フォームミッドソール部品の外面が、該第一の空間に露出しており、該前部かかとケージ部品が、少なくとも部分的に、該フォームミッドソール部品の該密度よりも高い密度を有するフォーム材料から形成される、前部かかとケージ部品、
該フォームミッドソール部品とは別個の、該フォームミッドソール部品の中足部区域の側面領域および底面領域を覆う中足部ケージ部品であって、該中足部ケージ部品が、該ソール構造の該外側から該内側まで伸びており、第二の空間が、該前部かかとケージ部品と該中足部ケージ部品との間に存在し、該フォームミッドソール部品の該外面が、該第二の空間に露出しており、該中足部ケージ部品が、少なくとも部分的に、該フォームミッドソール部品の該密度よりも高い密度を有するフォーム材料から形成される、中足部ケージ部品、および
該フォームミッドソール部品とは別個の、該フォームミッドソール部品の前足部区域の側面領域および底面領域を覆う前足部ケージ部品であって、該前足部ケージ部品が、該ソール構造の該外側から該内側まで伸びており、第三の空間が、該中足部ケージ部品と該前足部ケージ部品との間に存在し、該フォームミッドソール部品の該外面が、該第三の空間に露出しており、該前足部ケージ部品が、少なくとも部分的に、該フォームミッドソール部品の該密度よりも高い密度を有するフォーム材料から形成される、前足部ケージ部品
を含む、フットウェア製品のためのソール構造。
【請求項３１】
後部かかとケージ部品の底面と係合している第一のアウトソール部品、
前部かかとケージ部品の底面と係合している第二のアウトソール部品、
中足部ケージ部品の外側で係合している第三のアウトソール部品、
該中足部ケージ部品の内側で係合している第四のアウトソール部品、および
前足部ケージ部品と係合している第五のアウトソール部品
をさらに含む、請求項30記載のソール構造。
【請求項３２】
第一のアウトソール部品、第二のアウトソール部品、第三のアウトソール部品、第四のアウトソール部品、および第五のアウトソール部品の少なくとも1つが、ゴム材料を含む、請求項31記載のソール構造。
【請求項３３】
第三の空間内でフォームミッドソール部品の底面と係合している第一のアウトソール部品
をさらに含む、請求項30記載のソール構造。
【請求項３４】
第三の空間内でフォームミッドソール部品の底面と係合している離れた複数のアウトソール部品
をさらに含む、請求項30記載のソール構造。
【請求項３５】
後部かかとケージ部品、前部かかとケージ部品、中足部ケージ部品、および前足部ケージ部品の各々が、エチルビニルアセテートフォーム、ポリウレタンフォーム、およびゴム材料からなる群より選択される少なくとも1種の材料を含む、請求項30記載のソール構造。
【請求項３６】
後部かかとケージ部品の外方側縁部の少なくとも一部分が、波状の構造を含み、前部かかとケージ部品の外方側縁部の少なくとも一部分が、波状の構造を含み、中足部ケージ部品の外方側縁部の少なくとも一部分が、波状の構造を含み、前足部ケージ部品の外方側縁部の少なくとも一部分が、波状の構造を含む、請求項30記載のソール構造。
【請求項３７】
フォームミッドソール部品の上部縁部が、後部かかとケージ部品、前部かかとケージ部品、中足部ケージ部品、および前足部ケージ部品の波状の構造に隣接して連続的に波状の構造を含む、請求項36記載のソール構造。
【請求項３８】
第一の空間内に露出しているフォームミッドソール部品の外面が、フットウェア製品の横方向での全幅寸法よりも長い、該フットウェア製品の縦方向での全長寸法を有する、請求項30記載のソール構造。
【請求項３９】
第三の空間内に露出しているフォームミッドソール部品の外面が、実質的にU字形の周囲を含む、請求項30記載のソール構造。
【請求項４０】
第二の空間内に露出しているフォームミッドソール部品の外面が、フットウェア製品の縦方向での全長寸法よりも長い、該フットウェア製品の横方向での全幅寸法を有する、請求項30記載のソール構造。
【請求項４１】
アッパー、および
該アッパーと係合している請求項1記載のソール構造
を含む、フットウェア製品。
【請求項４２】
アッパーがインステップ開口部を含み、インステップ開口部が、該インステップ開口部の外側の複数の外側ひも支持要素と該インステップ開口部の内側の複数の内側ひも支持要素とを含む、請求項41記載のフットウェア製品。
【請求項４３】
外側ひも支持要素の少なくとも1つが、外側ひも受入開口部またはひも穴の周囲に巻き付けられる細長いワイヤーまたは織物部品を含み、内側ひも支持要素の少なくとも1つが、内側ひも受入開口部またはひも穴の周囲に巻き付けられる細長いワイヤーまたは織物部品を含む、請求項42記載のフットウェア製品。
【請求項４４】
外側ひも受入開口部またはひも穴の周囲に巻き付けられる細長いワイヤーまたは織物部品の一部分が、アッパーの外面に固定された該外側ひも受入開口部またはひも穴に隣接する第一の部分、および該アッパーの該外面に固定されていない第二の部分を含み、内側ひも受入開口部またはひも穴の周囲に巻き付けられる細長いワイヤーまたは織物部品の一部分が、該アッパーの外面に固定された該内側ひも受入開口部またはひも穴に隣接する第一の部分、および該アッパーの該外面に固定されていない第二の部分を含む、請求項43記載のフットウェア製品。
【請求項４５】
外側ひも支持要素の少なくとも1つが、（a）第一の外側ひも受入開口部またはひも穴の周囲に巻き付けられる第一の細長いワイヤーまたは織物部品、および（b）該第一の外側ひも受入開口部またはひも穴の周囲に巻き付けられる第二の細長いワイヤーまたは織物部品を含み、
内側ひも支持要素の少なくとも1つが、（a）第一の内側ひも受入開口部またはひも穴の周囲に巻き付けられる第三の細長いワイヤーまたは織物部品、および（b）該第一の内側ひも受入開口部またはひも穴の周囲に巻き付けられる第四の細長いワイヤーまたは織物部品を含む、請求項42記載のフットウェア製品。
【請求項４６】
第一の細長いワイヤーまたは織物部品が、（a）アッパーとフォームミッドソール部品の上面との間に位置する第一の端部、（b）該アッパーと該フォームミッドソール部品の該上面との間に位置する第二の端部、および（c）第一の外側ひも受入開口部またはひも穴の周囲に巻き付けられる、該第一の細長いワイヤーまたは織物部品の該第一の端部と該第二の端部との間の中間部分を含み、
第二の細長いワイヤーまたは織物部品が、（a）該アッパーと該フォームミッドソール部品の該上面との間に位置する第一の端部、（b）該アッパーと該フォームミッドソール部品の該上面との間に位置する第二の端部、および（c）該第一の外側ひも受入開口部またはひも穴の周囲に巻き付けられる、該第二の細長いワイヤーまたは織物部品の該第一の端部と該第二の端部との間の中間部分を含み、
第三の細長いワイヤーまたは織物部品が、（a）該アッパーと該フォームミッドソール部品の該上面との間に位置する第一の端部、（b）該アッパーと該フォームミッドソール部品の該上面との間に位置する第二の端部、および（c）第一の内側ひも受入開口部またはひも穴の周囲に巻き付けられる、該第三の細長いワイヤーまたは織物部品の該第一の端部と該第二の端部との間の中間部分を含み、
第四の細長いワイヤーまたは織物部品が、（a）該アッパーと該フォームミッドソール部品の該上面との間に位置する第一の端部、（b）該アッパーと該フォームミッドソール部品の該上面との間に位置する第二の端部、および（c）該第一の内側ひも受入開口部またはひも穴の周囲に巻き付けられる、該第四の細長いワイヤーまたは織物部品の該第一の端部と該第二の端部との間の中間部分を含む、
請求項45記載のフットウェア製品。
【請求項４７】
複数の外側ひも支持要素が、（a）第一の外側ひも受入開口部またはひも穴の周囲に巻き付けられる第一の細長いワイヤーまたは織物部品、および（b）該第一の外側ひも受入開口部またはひも穴の周囲に巻き付けられる第二の細長いワイヤーまたは織物部品を含み、
複数の内側ひも支持要素が、（a）第一の内側ひも受入開口部またはひも穴の周囲に巻き付けられる第三の細長いワイヤーまたは織物部品、および（b）該第一の内側ひも受入開口部またはひも穴の周囲に巻き付けられる第四の細長いワイヤーまたは織物部品を含む、請求項42記載のフットウェア製品。
【請求項４８】
第一の細長いワイヤーまたは織物部品が、（a）アッパーとフォームミッドソール部品の上面との間に位置する第一の端部、（b）該アッパーと該フォームミッドソール部品の該上面との間に位置する第二の端部、および（c）第一の外側ひも受入開口部またはひも穴の周囲に巻き付けられる、該第一の細長いワイヤーまたは織物部品の該第一の端部と該第二の端部との間の中間部分を含み、
第二の細長いワイヤーまたは織物部品が、（a）該アッパーと該フォームミッドソール部品の該上面との間に位置する第一の端部、（b）該アッパーと該フォームミッドソール部品の該上面との間に位置する第二の端部、および（c）該第一の外側ひも受入開口部またはひも穴の周囲に巻き付けられる、該第二の細長いワイヤーまたは織物部品の該第一の端部と該第二の端部との間の中間部分を含み、
第三の細長いワイヤーまたは織物部品が、（a）該アッパーと該フォームミッドソール部品の該上面との間に位置する第一の端部、（b）該アッパーと該フォームミッドソール部品の該上面との間に位置する第二の端部、および（c）第一の内側ひも受入開口部またはひも穴の周囲に巻き付けられる、該第三の細長いワイヤーまたは織物部品の該第一の端部と該第二の端部との間の中間部分を含み、
第四の細長いワイヤーまたは織物部品が、（a）該アッパーと該フォームミッドソール部品の該上面との間に位置する第一の端部、（b）該アッパーと該フォームミッドソール部品の該上面との間に位置する第二の端部、および（c）該第一の内側ひも受入開口部またはひも穴の周囲に巻き付けられる、該第四の細長いワイヤーまたは織物部品の該第一の端部と該第二の端部との間の中間部分を含む、
請求項47記載のフットウェア製品。
【請求項４９】
外側ひも支持要素の少なくとも1つが、外側ひも受入開口部またはひも穴の周囲に巻き付けられる細長い織物部品を含み、内側ひも支持要素の少なくとも1つが、内側ひも受入開口部またはひも穴の周囲に巻き付けられる細長い織物部品を含む、請求項42記載のフットウェア製品。
【請求項５０】
外側ひも受入開口部またはひも穴の周囲に巻き付けられる細長い織物部品の一部分が、アッパーの外面に固定された該外側ひも受入開口部またはひも穴に隣接する第一の部分、および該アッパーの該外面に固定されていない第二の部分を含み、内側ひも受入開口部またはひも穴の周囲に巻き付けられる細長い織物部品の一部分が、該アッパーの外面に固定された該内側ひも受入開口部またはひも穴に隣接する第一の部分、および該アッパーの該外面に固定されていない第二の部分を含む、請求項49記載のフットウェア製品。
【請求項５１】
外側ひも支持要素の少なくとも1つが、（a）第一の外側ひも受入開口部またはひも穴の周囲に巻き付けられる第一の細長い織物部品、および（b）該第一の外側ひも受入開口部またはひも穴の周囲に巻き付けられる第二の細長い織物部品を含み、
内側ひも支持要素の少なくとも1つが、（a）第一の内側ひも受入開口部またはひも穴の周囲に巻き付けられる第三の細長い織物部品、および（b）該第一の内側ひも受入開口部またはひも穴の周囲に巻き付けられる第四の細長い織物部品を含む、請求項42記載のフットウェア製品。
【請求項５２】
第一の細長い織物部品が、（a）アッパーとフォームミッドソール部品の上面との間に位置する第一の端部、（b）該アッパーと該フォームミッドソール部品の該上面との間に位置する第二の端部、および（c）第一の外側ひも受入開口部またはひも穴の周囲に巻き付けられる、該第一の細長い織物部品の該第一の端部と該第二の端部との間の中間部分を含み、
第二の細長い織物部品が、（a）該アッパーと該フォームミッドソール部品の該上面との間に位置する第一の端部、（b）該アッパーと該フォームミッドソール部品の該上面との間に位置する第二の端部、および（c）該第一の外側ひも受入開口部またはひも穴の周囲に巻き付けられる、該第二の細長い織物部品の該第一の端部と該第二の端部との間の中間部分を含み、
第三の細長い織物部品が、（a）該アッパーと該フォームミッドソール部品の該上面との間に位置する第一の端部、（b）該アッパーと該フォームミッドソール部品の該上面との間に位置する第二の端部、および（c）第一の内側ひも受入開口部またはひも穴の周囲に巻き付けられる、該第三の細長い織物部品の該第一の端部と該第二の端部との間の中間部分を含み、
第四の細長い織物部品が、（a）該アッパーと該フォームミッドソール部品の該上面との間に位置する第一の端部、（b）該アッパーと該フォームミッドソール部品の該上面との間に位置する第二の端部、および（c）該第一の内側ひも受入開口部またはひも穴の周囲に巻き付けられる、該第四の細長い織物部品の該第一の端部と該第二の端部との間の中間部分を含む、
請求項51記載のフットウェア製品。
【請求項５３】
複数の外側ひも支持要素が、（a）第一の外側ひも受入開口部またはひも穴の周囲に巻き付けられる第一の細長い織物部品、および（b）該第一の外側ひも受入開口部またはひも穴の周囲に巻き付けられる第二の細長い織物部品を含み、
複数の内側ひも支持要素が、（a）第一の内側ひも受入開口部またはひも穴の周囲に巻き付けられる第三の細長い織物部品、および（b）該第一の内側ひも受入開口部またはひも穴の周囲に巻き付けられる第四の細長い織物部品を含む、請求項42記載のフットウェア製品。
【請求項５４】
第一の細長い織物部品が、（a）アッパーとフォームミッドソール部品の上面との間に位置する第一の端部、（b）該アッパーと該フォームミッドソール部品の該上面との間に位置する第二の端部、および（c）第一の外側ひも受入開口部またはひも穴の周囲に巻き付けられる、該第一の細長い織物部品の該第一の端部と該第二の端部との間の中間部分を含み、
第二の細長い織物部品が、（a）該アッパーと該フォームミッドソール部品の該上面との間に位置する第一の端部、（b）該アッパーと該フォームミッドソール部品の該上面との間に位置する第二の端部、および（c）該第一の外側ひも受入開口部またはひも穴の周囲に巻き付けられる、該第二の細長い織物部品の該第一の端部と該第二の端部との間の中間部分を含み、
第三の細長い織物部品が、（a）該アッパーと該フォームミッドソール部品の該上面との間に位置する第一の端部、（b）該アッパーと該フォームミッドソール部品の該上面との間に位置する第二の端部、および（c）第一の内側ひも受入開口部またはひも穴の周囲に巻き付けられる、該第三の細長い織物部品の該第一の端部と該第二の端部との間の中間部分を含み、
第四の細長い織物部品が、（a）該アッパーと該フォームミッドソール部品の該上面との間に位置する第一の端部、（b）該アッパーと該フォームミッドソール部品の該上面との間に位置する第二の端部、および（c）該第一の内側ひも受入開口部またはひも穴の周囲に巻き付けられる、該第四の細長い織物部品の該第一の端部と該第二の端部との間の中間部分を含む、
請求項53記載のフットウェア製品。
【発明の詳細な説明】
【技術分野】
【０００１】
関連出願データ
本出願は、2012年9月6日に出願された「Sole Structures and Articles of Footwear Having a Lightweight Midsole with Segmented Protective Elements」と題する米国特許出願第13/605,681号の優先権を主張する。米国特許出願第13/605,681号は、参照により全体として本明細書に組み入れられる。
【０００２】
発明の分野
本発明は、フットウェアの分野に関する。より具体的には、本発明の局面は、より硬質および／または高密度な保護部品によって部分的に覆われている比較的柔軟および／または軽量なフォームミッドソール部品を含む、ソール構造および／またはフットウェア（たとえば、運動競技用フットウェア）製品に関する。
【背景技術】
【０００３】
背景
運動競技用フットウェアの従来の製品は、2つの主要要素、すなわち、アッパーおよびソール構造を含む。アッパーは、足をしっかりと受けてソール構造に対して配置する、足のための覆いを提供する。加えて、アッパーは、足を保護し、通気を提供し、それにより足を冷やし、汗を取り除く構成を有し得る。ソール構造は、アッパーの下面に固定され、概して、足と任意の接触面との間に配置される。ソール構造は、地面反力を減衰させ、かつエネルギーを吸収することに加えて、トラクションを提供し、かつ過剰な回内運動のような潜在的に有害な足の動きを制御し得る。アッパーおよびソール構造の概略的特徴および構成を、以下でより詳細に説明する。
【０００４】
アッパーは、足を受け入れるために、フットウェアの内部に空所を形成する。空所は、足の一般的形状を有し、空所へのアクセスが足首開口部に提供される。したがって、アッパーは、足の甲およびつま先区域の上、足の内側面および外側面に沿って、かつ足のかかと区域周りに伸びている。多くの場合、足首開口部のサイズを選択的に変え、装用者がアッパーの特定の寸法、特に足囲を変更することを可能にして、種々の大きさの足を受け入れるために、レーシングシステムが、アッパーに組み込まれる。加えて、アッパーは、フットウェアの快適性を高めるためにレーシングシステムの下に伸びている舌革を含んでよく（たとえば、靴紐により足に加えられる圧力を緩和するため）、アッパーはまた、かかとの動きを制限または抑制するためのヒールカウンタを含み得る。
【０００５】
ソール構造は概して、慣例的にインソール、ミッドソールおよびアウトソールと呼ばれる、複数の層を含む。インソール（中敷も構成し得る）は、フットウェアの快適性を高める、たとえば、湿気を吸い取り、柔軟で快適な触感を提供するための、アッパー内で、足の底面（下面）に隣接して位置する薄い部材である。従来からアッパーの全長に沿ってアッパーに取り付けられるミッドソールは、ソール構造の中間層を形成し、足の動きを制御することおよび衝撃力を減衰することを含む、様々な目的を果たす。アウトソールは、フットウェアの接地要素を形成し、通常、トラクションを改善するための模様または他の特徴を含む、耐久性のある耐摩耗材料から形成されている。
【０００６】
従来のミッドソールの主な要素は、フットウェアの全長にわたって伸びている、ポリウレタンまたはエチルビニルアセテート（「EVA」）のような弾性ポリマーフォーム材料である。ミッドソールにおけるポリマーフォーム材料の特性は、主に、ミッドソールの寸法構成およびポリマーフォーム材料の密度を含む、ポリマーフォームのために選択された材料の固有の特徴を含む因子に依存する。ミッドソール全体にわたってこれらの要因を変えることによって、剛比、地面反力減衰度、およびエネルギー吸収性を、そのフットウェアが使用を意図されている活動に特異的な要求を満たすように変化させてもよい。
【０００７】
種々の利用可能なフットウェアモデルおよび特徴にもかかわらず、新たなフットウェアモデルおよび構造が進化し続けており、当技術分野において歓迎される進歩である。
【発明の概要】
【０００８】
この概要は、以下の詳細な説明でさらに説明される、簡略化形態の本発明に関する幾つかの全般的概念を紹介するために提供される。この概要は、本発明の重要な特徴または不可欠な特徴を特定することを意図するものではない。
【０００９】
本発明の局面は、任意の所望のタイプまたはスタイルの靴に潜在的に有用であるが、バスケットボールシューズ、ランニングシューズ、クロストレーニングシューズ、スパイクシューズ、テニスシューズ、ゴルフシューズなどを含む運動競技用フットウェア製品のソール構造を特に対象とし得る。
【００１０】
本発明のより具体的な局面は、少なくとも幾つかの以下のものを含むフットウェア製品のためのソール構造に関する：（a）0.25g/cm3未満の密度を有し、後部かかと領域からフロント前足部領域まで伸びている、フォームミッドソール部品、（b）フォームミッドソール部品の後部かかと区域の一部分を覆う1つまたは複数の後部かかとケージ部品、（c）フォームミッドソール部品の前部かかと区域の一部分を覆う1つまたは複数の前部かかとケージ部品であって、第一の空間は、後部かかとケージ部品と前部かかとケージ部品との間に存在し、フォームミッドソール部品の外面は、第一の空間に露出していてもよい、1つまたは複数の前部かかとケージ部品、（d）フォームミッドソール部品の中足部区域の一部分を覆う1つまたは複数の中足部ケージ部品であって、第二の空間は、前部かかとケージ部品と中足部ケージ部品との間に存在し、フォームミッドソール部品の外面は、第二の空間に露出していてもよい、1つまたは複数の中足部ケージ部品、および（e）フォームミッドソール部品の前足部区域の一部分を覆う1つまたは複数の前足部ケージ部品であって、第三の空間は、中足部ケージ部品と前足部ケージ部品との間に存在し、フォームミッドソール部品の外面は、第三の空間に露出していてもよい、1つまたは複数の前足部ケージ部品。ソール構造は、追加的に、たとえば、ケージ部品および／またはフォームミッドソール部品の1つまたは複数の底面上に、1つまたは複数のアウトソール部品を含み得る。ケージ部品間の空間は、実質的に横（内側−外側）方向におよび／または実質的に縦（かかと−つま先）方向に屈曲ラインを画定するおよび／またはそれに対応するように、および／またはより自然な動きの屈曲をソール構造に与えるように、サイズ付けられ、成形され、かつ方向付けられ得る。
【００１１】
本発明の追加的局面は、アッパー部品と係合している上記の種々のタイプのソール構造を含む、フットウェア製品に関する。アッパー部品は、1つまたは複数の細長いワイヤーまたは織物部品によって支持される、1つまたは複数のひも受入またはひも係合開口部またはひも穴を含み得る。
【００１２】
本発明のなお追加的な局面は、上記の種々のタイプのソール構造および／またはフットウェア製品を作製するための方法に関する（以下でより詳細に記載される）。本発明のより具体的な局面は、以下でより詳細に記載される。
[本発明1001]
かかと領域から前足部領域まで伸びている、0.25g/cm3未満の密度を有するフォームミッドソール部品、
該フォームミッドソール部品の後部かかと区域の一部分を覆う第一の後部かかとケージ部品、
該フォームミッドソール部品の前部かかと区域の一部分を覆う第一の前部かかとケージ部品であって、第一の空間が、該第一の後部かかとケージ部品と該第一の前部かかとケージ部品との間に存在する、第一の前部かかとケージ部品、
該フォームミッドソール部品の中足部区域の一部分を覆う第一の中足部ケージ部品であって、第二の空間が、該第一の前部かかとケージ部品と該第一の中足部ケージ部品との間に存在する、第一の中足部ケージ部品、および
該フォームミッドソール部品の前足部区域の一部分を覆う第一の前足部ケージ部品であって、第三の空間が、該第一の中足部ケージ部品と該第一の前足部ケージ部品との間に存在する、第一の前足部ケージ部品
を含む、フットウェア製品のためのソール構造。
[本発明1002]
フォームミッドソール部品の後部かかと区域の別の部分を覆う第二の後部かかとケージ部品であって、第一の後部かかとケージ部品が、ソール構造の外側に位置し、第二の後部かかとケージ部品が、該ソール構造の内側に位置する、第二の後部かかとケージ部品
をさらに含む、本発明1001のソール構造。
[本発明1003]
フォームミッドソール部品の前部かかと区域の別の部分を覆う第二の前部かかとケージ部品であって、第一の前部かかとケージ部品が、ソール構造の外側に位置し、第二の前部かかとケージ部品が、該ソール構造の内側に位置する、第二の前部かかとケージ部品
をさらに含む、本発明1001のソール構造。
[本発明1004]
フォームミッドソール部品の中足部区域の別の部分を覆う第二の中足部ケージ部品であって、第一の中足部ケージ部品が、ソール構造の外側に位置し、第二の中足部ケージ部品が、該ソール構造の内側に位置する、第二の中足部ケージ部品
をさらに含む、本発明1001のソール構造。
[本発明1005]
フォームミッドソール部品の前部かかと区域の別の部分を覆う第二の前部かかとケージ部品であって、第一の前部かかとケージ部品が、ソール構造の外側に位置し、第二の前部かかとケージ部品が、該ソール構造の内側に位置する、第二の前部かかとケージ部品、および
該フォームミッドソール部品の中足部区域の別の部分を覆う第二の中足部ケージ部品であって、第一の中足部ケージ部品が、該ソール構造の該外側に位置し、第二の中足部ケージ部品が、該ソール構造の該内側に位置する、第二の中足部ケージ部品
をさらに含む、本発明1001のソール構造。
[本発明1006]
第一の後部かかとケージ部品が、ソール構造の外側から内側まで伸びており、第一の前部かかとケージ部品が、該ソール構造の該外側から該内側まで伸びており、第一の中足部ケージ部品が、該ソール構造の該外側から該内側まで伸びており、第一の前足部ケージ部品が、該ソール構造の該外側から該内側まで伸びている、本発明1001のソール構造。
[本発明1007]
第一の空間が、後部かかとケージ部品と第一の前部かかとケージ部品との間に実質的に横の屈曲ラインを提供するように、ソール構造の内側から外側まで実質的に横方向に伸びている部分を含む、本発明1006のソール構造。
[本発明1008]
第二の空間が、第一の前部かかとケージ部品と第一の中足部ケージ部品との間に実質的に横の屈曲ラインを提供するように、ソール構造の内側から外側まで実質的に横方向に伸びている部分を含む、本発明1006のソール構造。
[本発明1009]
第三の空間が、第一の中足部ケージ部品と第一の前足部ケージ部品との間に実質的に横の屈曲ラインを提供するように、ソール構造の内側から外側まで実質的に横方向に伸びている部分を含む、本発明1006のソール構造。
[本発明1010]
第一の後部かかとケージ部品の底面と係合している第一のアウトソール部品、
第一の前部かかとケージ部品の底面と係合している第二のアウトソール部品、
第一の中足部ケージ部品の外側で係合している第三のアウトソール部品、
該第一の中足部ケージ部品の内側で係合している第四のアウトソール部品、および
第一の前足部ケージ部品と係合している第五のアウトソール部品
をさらに含む、本発明1001のソール構造。
[本発明1011]
第一のアウトソール部品、第二のアウトソール部品、第三のアウトソール部品、第四のアウトソール部品、および第五のアウトソール部品の少なくとも1つが、ゴム材料を含む、本発明1010のソール構造。
[本発明1012]
第三の空間内でフォームミッドソール部品の底面と係合している第一のアウトソール部品
をさらに含む、本発明1001のソール構造。
[本発明1013]
第三の空間内でフォームミッドソール部品の底面と係合している離れた複数のアウトソール部品
をさらに含む、本発明1001のソール構造。
[本発明1014]
第一の後部かかとケージ部品が、エチルビニルアセテートフォーム、ポリウレタンフォーム、およびゴム材料からなる群より選択される少なくとも1種の材料を含む、本発明1001のソール構造。
[本発明1015]
第一の前部かかとケージ部品が、エチルビニルアセテートフォーム、ポリウレタンフォーム、およびゴム材料からなる群より選択される少なくとも1種の材料を含む、本発明1001のソール構造。
[本発明1016]
第一の中足部ケージ部品が、エチルビニルアセテートフォーム、ポリウレタンフォーム、およびゴム材料からなる群より選択される少なくとも1種の材料を含む、本発明1001のソール構造。
[本発明1017]
第一の前足部ケージ部品が、エチルビニルアセテートフォーム、ポリウレタンフォーム、およびゴム材料からなる群より選択される少なくとも1種の材料を含む、本発明1001のソール構造。
[本発明1018]
第一の後部かかとケージ部品、第一の前部かかとケージ部品、第一の中足部ケージ部品、または第一の前足部ケージ部品のうちの少なくとも1つが、少なくとも部分的に、フォームミッドソール部品の密度よりも高い密度を有するフォーム材料から形成される、本発明1001のソール構造。
[本発明1019]
第一の後部かかとケージ部品の外方側縁部の少なくとも一部分が、波状の構造を含む、本発明1001のソール構造。
[本発明1020]
第一の前部かかとケージ部品の外方側縁部の少なくとも一部分が、波状の構造を含む、本発明1001のソール構造。
[本発明1021]
第一の中足部ケージ部品の外方側縁部の少なくとも一部分が、波状の構造を含む、本発明1001のソール構造。
[本発明1022]
第一の前足部ケージ部品の外方側縁部の少なくとも一部分が、波状の構造を含む、本発明1001のソール構造。
[本発明1023]
第一の後部かかとケージ部品の外方側縁部の少なくとも一部分が、波状の構造を含み、フォームミッドソール部品の上部縁部が、該第一の後部かかとケージ部品の該波状の構造に隣接して波状の構造を含む、本発明1001のソール構造。
[本発明1024]
第一の前部かかとケージ部品の外方側縁部の少なくとも一部分が、波状の構造を含み、フォームミッドソール部品の上部縁部が、該第一の前部かかとケージ部品の該波状の構造に隣接して波状の構造を含む、本発明1001のソール構造。
[本発明1025]
第一の中足部ケージ部品の外方側縁部の少なくとも一部分が、波状の構造を含み、フォームミッドソール部品の上部縁部が、該第一の中足部ケージ部品の該波状の構造に隣接して波状の構造を含む、本発明1001のソール構造。
[本発明1026]
第一の前足部ケージ部品の外方側縁部の少なくとも一部分が、波状の構造を含み、フォームミッドソール部品の上部縁部が、該第一の前足部ケージ部品の該波状の構造に隣接して波状の構造を含む、本発明1001のソール構造。
[本発明1027]
第一の空間内に露出しているフォームミッドソール部品の外面が、フットウェア製品の横方向での全幅寸法よりも長い、該フットウェア製品の縦方向での全長寸法を有する、本発明1001のソール構造。
[本発明1028]
第三の空間内に露出しているフォームミッドソール部品の外面が、実質的にU字形の周囲を含む、本発明1001のソール構造。
[本発明1029]
第二の空間内に露出しているフォームミッドソール部品の外面が、フットウェア製品の縦方向での全長寸法よりも長い、該フットウェア製品の横方向での全幅寸法を有する、本発明1001のソール構造。
[本発明1030]
後部かかと領域からフロント前足部領域まで連続的に伸びている、0.25g/cm3未満の密度を有するフォームミッドソール部品、
該フォームミッドソール部品の後部かかと区域の一部分を覆う後部かかとケージ部品であって、ソール構造の外側から内側まで伸びており、少なくとも部分的に、該フォームミッドソール部品の該密度よりも高い密度を有するフォーム材料から形成される、後部かかとケージ部品、
該フォームミッドソール部品の前部かかと区域の一部分を覆う前部かかとケージ部品であって、該前部かかとケージ部品が、該ソール構造の該外側から該内側まで伸びており、第一の空間が、該後部かかとケージ部品と該前部かかとケージ部品との間に存在し、該フォームミッドソール部品の外面が、該第一の空間に露出しており、該前部かかとケージ部品が、少なくとも部分的に、該フォームミッドソール部品の該密度よりも高い密度を有するフォーム材料から形成される、前部かかとケージ部品、
該フォームミッドソール部品の中足部区域の一部分を覆う中足部ケージ部品であって、該中足部ケージ部品が、該ソール構造の該外側から該内側まで伸びており、第二の空間が、該前部かかとケージ部品と該中足部ケージ部品との間に存在し、該フォームミッドソール部品の該外面が、該第二の空間に露出しており、該中足部ケージ部品が、少なくとも部分的に、該フォームミッドソール部品の該密度よりも高い密度を有するフォーム材料から形成される、中足部ケージ部品、および
該フォームミッドソール部品の前足部区域の一部分を覆う前足部ケージ部品であって、該前足部ケージ部品が、該ソール構造の該外側から該内側まで伸びており、第三の空間が、該中足部ケージ部品と該前足部ケージ部品との間に存在し、該フォームミッドソール部品の該外面が、該第三の空間に露出しており、該前足部ケージ部品が、少なくとも部分的に、該フォームミッドソール部品の該密度よりも高い密度を有するフォーム材料から形成される、前足部ケージ部品
を含む、フットウェア製品のためのソール構造。
[本発明1031]
後部かかとケージ部品の底面と係合している第一のアウトソール部品、
前部かかとケージ部品の底面と係合している第二のアウトソール部品、
中足部ケージ部品の外側で係合している第三のアウトソール部品、
該中足部ケージ部品の内側で係合している第四のアウトソール部品、および
前足部ケージ部品と係合している第五のアウトソール部品
をさらに含む、本発明1030のソール構造。
[本発明1032]
第一のアウトソール部品、第二のアウトソール部品、第三のアウトソール部品、第四のアウトソール部品、および第五のアウトソール部品の少なくとも1つが、ゴム材料を含む、本発明1031のソール構造。
[本発明1033]
第三の空間内でフォームミッドソール部品の底面と係合している第一のアウトソール部品
をさらに含む、本発明1030のソール構造。
[本発明1034]
第三の空間内でフォームミッドソール部品の底面と係合している離れた複数のアウトソール部品
をさらに含む、本発明1030のソール構造。
[本発明1035]
後部かかとケージ部品、前部かかとケージ部品、中足部ケージ部品、および前足部ケージ部品の各々が、エチルビニルアセテートフォーム、ポリウレタンフォーム、およびゴム材料からなる群より選択される少なくとも1種の材料を含む、本発明1030のソール構造。
[本発明1036]
後部かかとケージ部品の外方側縁部の少なくとも一部分が、波状の構造を含み、前部かかとケージ部品の外方側縁部の少なくとも一部分が、波状の構造を含み、中足部ケージ部品の外方側縁部の少なくとも一部分が、波状の構造を含み、前足部ケージ部品の外方側縁部の少なくとも一部分が、波状の構造を含む、本発明1030のソール構造。
[本発明1037]
フォームミッドソール部品の上部縁部が、後部かかとケージ部品、前部かかとケージ部品、中足部ケージ部品、および前足部ケージ部品の波状の構造に隣接して連続的に波状の構造を含む、本発明1036のソール構造。
[本発明1038]
第一の空間内に露出しているフォームミッドソール部品の外面が、フットウェア製品の横方向での全幅寸法よりも長い、該フットウェア製品の縦方向での全長寸法を有する、本発明1030のソール構造。
[本発明1039]
第三の空間内に露出しているフォームミッドソール部品の外面が、実質的にU字形の周囲を含む、本発明1030のソール構造。
[本発明1040]
第二の空間内に露出しているフォームミッドソール部品の外面が、フットウェア製品の縦方向での全長寸法よりも長い、該フットウェア製品の横方向での全幅寸法を有する、本発明1030のソール構造。
[本発明1041]
アッパー、および
該アッパーと係合している本発明1001のソール構造
を含む、フットウェア製品。
[本発明1042]
アッパーがインステップ開口部を含み、インステップ開口部が、該インステップ開口部の外側の複数の外側ひも支持要素と該インステップ開口部の内側の複数の内側ひも支持要素とを含む、本発明1041のフットウェア製品。
[本発明1043]
外側ひも支持要素の少なくとも1つが、外側ひも受入開口部またはひも穴の周囲に巻き付けられる細長いワイヤーまたは織物部品を含み、内側ひも支持要素の少なくとも1つが、内側ひも受入開口部またはひも穴の周囲に巻き付けられる細長いワイヤーまたは織物部品を含む、本発明1042のフットウェア製品。
[本発明1044]
外側ひも受入開口部またはひも穴の周囲に巻き付けられる細長いワイヤーまたは織物部品の一部分が、アッパーの外面に固定された該外側ひも受入開口部またはひも穴に隣接する第一の部分、および該アッパーの該外面に固定されていない第二の部分を含み、内側ひも受入開口部またはひも穴の周囲に巻き付けられる細長いワイヤーまたは織物部品の一部分が、該アッパーの外面に固定された該内側ひも受入開口部またはひも穴に隣接する第一の部分、および該アッパーの該外面に固定されていない第二の部分を含む、本発明1043のフットウェア製品。
[本発明1045]
外側ひも支持要素の少なくとも1つが、（a）第一の外側ひも受入開口部またはひも穴の周囲に巻き付けられる第一の細長いワイヤーまたは織物部品、および（b）該第一の外側ひも受入開口部またはひも穴の周囲に巻き付けられる第二の細長いワイヤーまたは織物部品を含み、
内側ひも支持要素の少なくとも1つが、（a）第一の内側ひも受入開口部またはひも穴の周囲に巻き付けられる第三の細長いワイヤーまたは織物部品、および（b）該第一の内側ひも受入開口部またはひも穴の周囲に巻き付けられる第四の細長いワイヤーまたは織物部品を含む、本発明1042のフットウェア製品。
[本発明1046]
第一の細長いワイヤーまたは織物部品が、（a）アッパーとフォームミッドソール部品の上面との間に位置する第一の端部、（b）該アッパーと該フォームミッドソール部品の該上面との間に位置する第二の端部、および（c）第一の外側ひも受入開口部またはひも穴の周囲に巻き付けられる、該第一の端部と該第二の端部との間の中間部分を含み、
第二の細長いワイヤーまたは織物部品が、（a）該アッパーと該フォームミッドソール部品の該上面との間に位置する第一の端部、（b）該アッパーと該フォームミッドソール部品の該上面との間に位置する第二の端部、および（c）該第一の外側ひも受入開口部またはひも穴の周囲に巻き付けられる、該第一の端部と該第二の端部との間の中間部分を含み、
第三の細長いワイヤーまたは織物部品が、（a）該アッパーと該フォームミッドソール部品の該上面との間に位置する第一の端部、（b）該アッパーと該フォームミッドソール部品の該上面との間に位置する第二の端部、および（c）第一の内側ひも受入開口部またはひも穴の周囲に巻き付けられる、該第一の端部と該第二の端部との間の中間部分を含み、
第四の細長いワイヤーまたは織物部品が、（a）該アッパーと該フォームミッドソール部品の該上面との間に位置する第一の端部、（b）該アッパーと該フォームミッドソール部品の該上面との間に位置する第二の端部、および（c）該第一の内側ひも受入開口部またはひも穴の周囲に巻き付けられる、該第一の端部と該第二の端部との間の中間部分を含む、
本発明1045のフットウェア製品。
[本発明1047]
複数の外側ひも支持要素が、（a）第一の外側ひも受入開口部またはひも穴の周囲に巻き付けられる第一の細長いワイヤーまたは織物部品、および（b）該第一の外側ひも受入開口部またはひも穴の周囲に巻き付けられる第二の細長いワイヤーまたは織物部品を含み、
複数の内側ひも支持要素が、（a）第一の内側ひも受入開口部またはひも穴の周囲に巻き付けられる第三の細長いワイヤーまたは織物部品、および（b）該第一の内側ひも受入開口部またはひも穴の周囲に巻き付けられる第四の細長いワイヤーまたは織物部品を含む、本発明1042のフットウェア製品。
[本発明1048]
第一の細長いワイヤーまたは織物部品が、（a）アッパーとフォームミッドソール部品の上面との間に位置する第一の端部、（b）該アッパーと該フォームミッドソール部品の該上面との間に位置する第二の端部、および（c）第一の外側ひも受入開口部またはひも穴の周囲に巻き付けられる、該第一の端部と該第二の端部との間の中間部分を含み、
第二の細長いワイヤーまたは織物部品が、（a）該アッパーと該フォームミッドソール部品の該上面との間に位置する第一の端部、（b）該アッパーと該フォームミッドソール部品の該上面との間に位置する第二の端部、および（c）該第一の外側ひも受入開口部またはひも穴の周囲に巻き付けられる、該第一の端部と該第二の端部との間の中間部分を含み、
第三の細長いワイヤーまたは織物部品が、（a）該アッパーと該フォームミッドソール部品の該上面との間に位置する第一の端部、（b）該アッパーと該フォームミッドソール部品の該上面との間に位置する第二の端部、および（c）第一の内側ひも受入開口部またはひも穴の周囲に巻き付けられる、該第一の端部と該第二の端部との間の中間部分を含み、
第四の細長いワイヤーまたは織物部品が、（a）該アッパーと該フォームミッドソール部品の該上面との間に位置する第一の端部、（b）該アッパーと該フォームミッドソール部品の該上面との間に位置する第二の端部、および（c）該第一の内側ひも受入開口部またはひも穴の周囲に巻き付けられる、該第一の端部と該第二の端部との間の中間部分を含む、
本発明1047のフットウェア製品。
[本発明1049]
外側ひも支持要素の少なくとも1つが、外側ひも受入開口部またはひも穴の周囲に巻き付けられる細長い織物部品を含み、内側ひも支持要素の少なくとも1つが、内側ひも受入開口部またはひも穴の周囲に巻き付けられる細長い織物部品を含む、本発明1042のフットウェア製品。
[本発明1050]
外側ひも受入開口部またはひも穴の周囲に巻き付けられる細長い織物部品の一部分が、アッパーの外面に固定された該外側ひも受入開口部またはひも穴に隣接する第一の部分、および該アッパーの該外面に固定されていない第二の部分を含み、内側ひも受入開口部またはひも穴の周囲に巻き付けられる細長い織物部品の一部分が、該アッパーの外面に固定された該内側ひも受入開口部またはひも穴に隣接する第一の部分、および該アッパーの該外面に固定されていない第二の部分を含む、本発明1049のフットウェア製品。
[本発明1051]
外側ひも支持要素の少なくとも1つが、（a）第一の外側ひも受入開口部またはひも穴の周囲に巻き付けられる第一の細長い織物部品、および（b）該第一の外側ひも受入開口部またはひも穴の周囲に巻き付けられる第二の細長い織物部品を含み、
内側ひも支持要素の少なくとも1つが、（a）第一の内側ひも受入開口部またはひも穴の周囲に巻き付けられる第三の細長い織物部品、および（b）該第一の内側ひも受入開口部またはひも穴の周囲に巻き付けられる第四の細長い織物部品を含む、本発明1042のフットウェア製品。
[本発明1052]
第一の細長い織物部品が、（a）アッパーとフォームミッドソール部品の上面との間に位置する第一の端部、（b）該アッパーと該フォームミッドソール部品の該上面との間に位置する第二の端部、および（c）第一の外側ひも受入開口部またはひも穴の周囲に巻き付けられる、該第一の端部と該第二の端部との間の中間部分を含み、
第二の細長い織物部品が、（a）該アッパーと該フォームミッドソール部品の該上面との間に位置する第一の端部、（b）該アッパーと該フォームミッドソール部品の該上面との間に位置する第二の端部、および（c）該第一の外側ひも受入開口部またはひも穴の周囲に巻き付けられる、該第一の端部と該第二の端部との間の中間部分を含み、
第三の細長い織物部品が、（a）該アッパーと該フォームミッドソール部品の該上面との間に位置する第一の端部、（b）該アッパーと該フォームミッドソール部品の該上面との間に位置する第二の端部、および（c）第一の内側ひも受入開口部またはひも穴の周囲に巻き付けられる、該第一の端部と該第二の端部との間の中間部分を含み、
第四の細長い織物部品が、（a）該アッパーと該フォームミッドソール部品の該上面との間に位置する第一の端部、（b）該アッパーと該フォームミッドソール部品の該上面との間に位置する第二の端部、および（c）該第一の内側ひも受入開口部またはひも穴の周囲に巻き付けられる、該第一の端部と該第二の端部との間の中間部分を含む、
本発明1051のフットウェア製品。
[本発明1053]
複数の外側ひも支持要素が、（a）第一の外側ひも受入開口部またはひも穴の周囲に巻き付けられる第一の細長い織物部品、および（b）該第一の外側ひも受入開口部またはひも穴の周囲に巻き付けられる第二の細長い織物部品を含み、
複数の内側ひも支持要素が、（a）第一の内側ひも受入開口部またはひも穴の周囲に巻き付けられる第三の細長い織物部品、および（b）該第一の内側ひも受入開口部またはひも穴の周囲に巻き付けられる第四の細長い織物部品を含む、本発明1042のフットウェア製品。
[本発明1054]
第一の細長い織物部品が、（a）アッパーとフォームミッドソール部品の上面との間に位置する第一の端部、（b）該アッパーと該フォームミッドソール部品の該上面との間に位置する第二の端部、および（c）第一の外側ひも受入開口部またはひも穴の周囲巻き付けられる、該第一の端部と該第二の端部との間の中間部分を含み、
第二の細長い織物部品が、（a）該アッパーと該フォームミッドソール部品の該上面との間に位置する第一の端部、（b）該アッパーと該フォームミッドソール部品の該上面との間に位置する第二の端部、および（c）該第一の外側ひも受入開口部またはひも穴の周囲に巻き付けられる、該第一の端部と該第二の端部との間の中間部分を含み、
第三の細長い織物部品が、（a）該アッパーと該フォームミッドソール部品の該上面との間に位置する第一の端部、（b）該アッパーと該フォームミッドソール部品の該上面との間に位置する第二の端部、および（c）第一の内側ひも受入開口部またはひも穴の周囲に巻き付けられる、該第一の端部と該第二の端部との間の中間部分を含み、
第四の細長い織物部品が、（a）該アッパーと該フォームミッドソール部品の該上面との間に位置する第一の端部、（b）該アッパーと該フォームミッドソール部品の該上面との間に位置する第二の端部、および（c）該第一の内側ひも受入開口部またはひも穴の周囲に巻き付けられる、該第一の端部と該第二の端部との間の中間部分を含む、
本発明1053のフットウェア製品。
【図面の簡単な説明】
【００１３】
上述の発明の概要ならびに以下の発明の詳細な説明は、添付の図面と併せて検討すると、より深く理解されるであろう。図面中、同様の参照番号は、その参照番号が現れる種々の図のすべてにおいて同じまたは類似の要素を指す。
【００１４】
【図１Ａ】本発明の少なくとも幾つかの例によるアッパーおよび／またはソール構造を含む、フットウェア製品の種々の図を示す。
【図１Ｂ】本発明の少なくとも幾つかの例によるアッパーおよび／またはソール構造を含む、フットウェア製品の種々の図を示す。
【図１Ｃ】本発明の少なくとも幾つかの例によるアッパーおよび／またはソール構造を含む、フットウェア製品の種々の図を示す。
【図１Ｄ】本発明の少なくとも幾つかの例によるアッパーおよび／またはソール構造を含む、フットウェア製品の種々の図を示す。
【図２Ａ】本発明の少なくとも幾つかの局面によるひも受入開口部またはひも穴支持部品として使用される細長いワイヤーまたは織物部品の種々の例を示す。
【図２Ｂ】本発明の少なくとも幾つかの局面によるひも受入開口部またはひも穴支持部品として使用される細長いワイヤーまたは織物部品の種々の例を示す。
【図３】本発明による別の例示的ソール構造の底面図を示す。
【発明を実施するための形態】
【００１５】
発明の詳細な説明
本発明によるフットウェア構造および部品の種々の例の以下の説明において、本発明の一部を形成し、かつ本発明の局面が実施され得る種々の例示的構造および環境を例証として示す、添付の図面を参照する。本発明の範囲から逸脱することなく、他の構造および環境が利用され得、かつ構造的および機能的修正が、具体的に記載された構造および方法に対して加えられ得ることは、理解されるべきである。
【００１６】
I. 本発明の局面の概説
本発明の局面は、より硬質および／または高密度なケージ（保護）部品によって部分的に覆われた比較的柔軟で軽量なフォームミッドソール部品を含む、ソール構造および／またはフットウェア（たとえば、運動競技用フットウェア）製品に関する。本発明のより具体的な特徴および局面は、以下でより詳細に記載される。
【００１７】
本明細書において使用される用語「縦方向」は、アイテムの最後部かかと（または他の）点（たとえば、図1Dのソール構造の点P1を参照のこと）とアイテムの最前部つま先（または他の）点（たとえば、図1Dのソール構造の点P2を参照のこと）をつなぐ線によって決定される方向である。特定アイテムの最前部および／または最後部の位置が線分を構成する場合、最前部点および／または最後部点は、対応する線分の中点を構成する。特定アイテムの最前部および／または最後部の位置が2つ以上の離れた点または線分を構成する場合、最前部点および／または最後部点は、離れた点または線分をつなぐ線分の中点を構成する。「横方向」は、縦方向に対して直交する。
【００１８】
A. 本発明の例によるソール構造およびフットウェア製品の特徴
本発明の幾つかの局面は、フットウェア製品のためのソール構造、およびそのようなソール構造を有する、運動競技用フットウェアを含むフットウェア製品（または他の足受装置）に関する。本発明の少なくとも幾つかの例によるフットウェア製品のためのソール構造は、以下のうち少なくとも幾つかを含み得る：（a）0.25g/cm3未満の密度を有するフォームミッドソール部品（幾つかの例では、0.2g/cm3未満、0.075〜0.2g/cm3の範囲以内、さらには0.1〜0.18g/cm3の範囲以内の密度）（フォームミッドソール部品は、後部かかと領域からフロント前足部領域まで伸びていてもよいが、それは、足の足底面全体の下に完全にある必要はない）、（b）フォームミッドソール部品の後部かかと区域の一部分を覆う1つまたは複数の後部かかとケージ部品、（c）フォームミッドソール部品の前部かかと区域の一部分を覆う1つまたは複数の前部かかとケージ部品であって、第一の空間は、後部かかとケージ部品と前部かかとケージ部品との間に存在する（任意で、フォームミッドソール部品の外面は、第一の空間に露出している）、1つまたは複数の前部かかとケージ部品、（d）フォームミッドソール部品の中足部区域の一部分を覆う1つまたは複数の中足部ケージ部品であって、第二の空間は、前部かかとケージ部品と中足部ケージ部品との間に存在する（任意で、フォームミッドソール部品の外面は、第二の空間に露出している）、1つまたは複数の中足部ケージ部品、および（e）フォームミッドソール部品の前足部区域の一部分を覆う1つまたは複数の前足部ケージ部品であって、第三の空間は、中足部ケージ部品と前足部ケージ部品との間に存在する（任意で、フォームミッドソール部品の外面は、第三の空間に露出している）、1つまたは複数の前足部ケージ部品。種々のケージ部品間の空間は、ソール構造において実質的に横の屈曲ラインとして機能し得る（たとえば、増大した屈曲性をソール構造に与えるため）。追加的または代替的に、所望の場合、別個のケージ部品（空間によって離されている）は、たとえば、任意でソール構造において実質的に縦の屈曲ラインを提供するように、ソール構造の外側面および内側面上に提供され得る。
【００１９】
種々のケージ部品は、本発明から逸脱することなく、0.2g/cm3を超える密度を有する（幾つかの例では、0.25g/cm3を超える密度、幾つかのさらなる例では、0.25g/cm3〜1g/cm3の範囲内、またはさらに0.25g/cm3〜0.75g/cm3の範囲内の密度を有する）、ポリマーフォーム材料のような材料を含む、同じまたは異なる材料から作製され得る。幾つかのより具体的な例として、種々のケージ部品は、エチルビニルアセテートフォーム、ポリウレタンフォーム、ファイロン（phylon）フォーム、フィライト（phylite）材料、およびゴム材料からなる群より選択される少なくとも1種の材料から作製され得る。幾つかの例において、ケージ部品の少なくとも幾つか（任意で、ケージ部品のすべて）は、ミッドソールフォーム部品の密度よりも少なくとも10％高い密度を有するであろうし、なおさらなる例において、ケージ部品密度は、フォームミッドソール部品の密度よりも、少なくとも25％高い、少なくとも50％高い、少なくとも100％高い、またはさらに少なくとも200％高いであろう。
【００２０】
本発明の少なくとも幾つかの例によるソール構造は、1つまたは複数のケージ部品および／またはフォームミッドソール部品（たとえば、露出している空間のうちの1つにおいて）の底面上のアウトソール部品（たとえば、ゴム、ファイロン、フィライト、熱可塑性ポリウレタンなどから作製される）を含み得る。アウトソール部品は、たとえば、硬度、強度、耐摩耗性およびトラクションを提供し得る（たとえば、ソール構造の底面上にテクスチャー、滑り止め、または他のトラクション向上構造を提供することによって）。本発明による幾つかの例示的構造において、幾つかの独立したアウトソール部品が、ソール構造の底の周囲の種々の分散した位置に提供されるであろう。
【００２１】
所望の場合、本発明の少なくとも幾つかの例によれば、後部かかとケージ部品、前部かかとケージ部品、中足部ケージ部品、および／または前足部ケージ部品の1つまたは複数の外方側縁部の少なくとも幾らかの部分は、波状の構造（以下でより詳細に記載される）を含み得る。追加的または代替的に、所望の場合、フォームミッドソール部品の少なくとも幾らかの部分（たとえば、フォームミッドソール部品の上部縁部）は、たとえば、1つまたは複数のケージ部品（それらが波状になっている場合）の波状の構造に隣接して、波状の構造を含み得る。任意の数の個々の波状構造が本発明から逸脱することなく種々の部品上に可能であるが、幾つかの例では、上から下への方向に、個々のソール構造は、2〜8個の波、幾つかの例では、3〜6個の波を含み得る。幾つかのより具体的な例では、ケージ部品は、フォームミッドソール部品よりもより多くの波を含むであろう。たとえば、ケージ部品は、2〜6個の波（幾つかの例では、2〜4個の波）を有し、フォームミッドソール部品は、1〜3個の波（幾つかの例では、1〜2個の波）を有する。
【００２２】
本発明の幾つかの例によればソール構造における重量を節約する一方法は、最終ソール構造において、たとえば、ケージ部品間に画定された空間において、露出している軽量フォームミッドソール部品の比較的広い面積を残すことである（すなわち、ケージ材料の量を減らすことによって）。たとえば、後部かかとおよび前部かかとケージ部品は、後部かかとおよび前部かかとケージ部品の合わせた外周によって囲まれる総表面積の20％〜50％を構成する第一の空間（これを介してフォームミッドソール部品が露出していてもよい）として中央開口区域を画定するように、成形され得る。別の例として、中足部および前足部ケージ部品は、中足部および前足部ケージ部品の合わせた外周によって囲まれる総表面積の20％〜50％を構成する第三の空間（これを介してフォームミッドソール部品が露出している）として中央開口区域を画定するように、成形され得る。ケージ部品間に画定される空間の形状は、卵形、楕円形、長方形、U字形、不規則な形状などを含む任意の所望の形状であり得る。
【００２３】
別の例示的特徴として、ケージ部品間の空間は、実質的に横（内側-外側）方向および／または実質的に縦（かかと−つま先）方向の屈曲ラインに対応するように提供され得る。ケージ部品間の空間は、より自然な動きの屈曲をソール構造に与えるように、サイズ決定され、成形され、かつ方向付けられてよい。
【００２４】
本発明のなお追加的な局面は、上記の種々のタイプのソール構造と係合しているアッパー（たとえば、従来の設計、構成、または構造を含む任意の所望の設計、構成、または構造の）を含む、フットウェア製品に関する。任意の所望のアッパー構成が可能であるが、本発明のこの局面による幾つかの例示的フットウェア構造では、アッパーは、その外側の複数の外側ひも支持要素およびその内側の複数の内側ひも支持要素を有するインステップ開口部を含み得る。1つまたは複数の外側および／または内側ひも支持要素は、たとえば、ひもが締め付けられるときにひもを支持し、かつアッパーで装用者の足を包むことを助けるために、ひも受入開口部またはひも穴のうちの1つの周囲に巻き付けられ、1つまたは複数の細長いワイヤーまたは織物部品を含み得る。細長いワイヤーまたは織物部品は、（a）ひも受入開口部またはひも穴の周囲に巻き付けられ、かつアッパーの外面に固定される部分、および（b）アッパーの外面に固定されない部分を含み得る。所望の場合、ひも受入開口部またはひも穴の少なくとも幾つかは、巻き付けられるか、またはそれらを少なくとも部分的に包囲する、2つまたはさらにそれより多い細長いワイヤーまたは織物部品を含み得る。
【００２５】
本発明によるなお他の例示的構造において、ひも受入開口部またはひも穴を支持する細長いワイヤーまたは織物部品は、以下を含むであろう：（a）アッパーとフォームミッドソール部品の上面との間に位置する第一の端部、（b）アッパーとフォームミッドソール部品の上面との間に位置する第二の端部、および（c）1つまたは複数のひも受入開口部またはひも穴の周囲に巻き付けられる、第一の端部と第二の端部との間の中間部分。中間部分は、少なくともひも受入開口部またはひも穴の周囲の区域において、アッパーに固定され得る。
【００２６】
B. 方法特徴
本発明の追加的局面は、フットウェア製品またはその種々の部品を作製する方法に関する。本発明のより具体的な一局面は、上記の種々のタイプのフットウェア製品のためのソール構造を作製するための方法に関する。本発明の局面によるソール構造およびフットウェア製品の種々の部品および部分品は、当技術分野において従来から公知であり、かつ使用されているやり方で作製され得るが、本発明の方法局面の例は、ソール構造および／またはフットウェア部分品を組み合わせること、および上記の種々の構造を製造する方法でそれらを一緒と係合させることに関する。幾つかのより具体的な例として、所望の場合、アッパーは、本技術分野において従来から公知であり、かつ使用されている方法を含む、釣り込み手順、セメント、接着剤、機械的コネクタなどを使用して、ソール構造と係合され得る。
【００２７】
上記のように、ひも受入開口部またはひも穴は、細長いワイヤーまたは織物部品によって支持され得る。これらのワイヤーまたは織物部品は、本発明から逸脱することなく、刺繍技術、接着剤、縫い付け、融合技術などの使用を介することを含む、任意の所望のやり方で、アッパー材料および／または靴構造全体と係合し得る。ワイヤーまたは織物部品の端部は、たとえば、接着剤またはセメントによって、アッパーとソール構造の上面との間にしっかりと固定され得る。
【００２８】
上記に提供された本発明による特徴、局面、構造、および構成の全般的説明を考慮して、本発明による具体的な例示的フットウェア製品および方法のより詳細な説明を以下に示す。
【００２９】
II. 本発明による例示的なソール構造およびフットウェア製品の詳細な説明
図面および以下の考察を参照すると、本発明による種々のソール構造、フットウェア製品、およびそれらの特徴が開示されている。描かれかつ論じられるソール構造およびフットウェアは、運動競技用シューズであり、このフットウェアの種々の局面に関して開示される概念は、ウォーキングシューズ、テニスシューズ、サッカーシューズ、フットボールシューズ、バスケットボールジューズ、ランニングシューズ、クロストレーニング用シューズ、スパイクシューズ、ゴルフシューズなどを非限定的に含む、幅広い運動競技用フットウェアスタイルに適用され得る。加えて、本発明の少なくとも幾つかの概念および局面は、作業用ブーツ、サンダル、ローファー、および礼装用靴を含む、幅広い非運動競技用フットウェアに適用され得る。したがって、本発明は、本明細書に開示されたまさにその態様に限定されず、フットウェア全般に適用される。
【００３０】
図1A〜図1Dは、本発明の少なくとも幾つかの局面を含む例示的フットウェア製品100の種々の図を示す。この開示の目的で、図1Aに示すように、フットウェア製品の部分（およびその種々の部品部分）は、フットウェア製品のその部分に、またはその近くに位置する足の領域に基づいて特定され得る。たとえば、図1Aに示されるように、フットウェア製品は、足の前部で「前足部領域」、足の中央または土踏まず区域で「中足部」領域、および足の後部で「かかと領域」を有するとしてみなされ得る。フットウェアはまた、「外側」（足の「外側」または「小指側」）および「内側」（足の「内側」または「親指側」）を含む。前足部領域は、概して、つま先、および中足骨と趾節骨をつなぐ関節に対応するフットウェアの部分を含む。中足部領域は、概して、足の土踏まず区域に対応するフットウェアの部分を含む。かかと領域は、概して、踵骨を含む足の後部部分に対応する。フットウェアの外側および内側は、前足部、中足部、およびかかと領域を通って伸びており、かつフットウェアの対向側に概ね一致する（図1Dに示されるように、縦軸によって分離されているとしてみなされ得る）。これらの領域および側は、フットウェアの正確な区域を区別するように意図されない。むしろ、用語「前足部領域」、「中足部領域」、「かかと領域」、「外側」および「内側」は、以下の考察を助けるために、フットウェア製品およびその種々の部品のおおよその区域を表すことを意図される。
【００３１】
図1Aは、フットウェア製品100の外側の図を示し、図1Bは、内側の図を示し、図1Cは、底面図を示す。フットウェア製品100は、ソール構造104と係合しているアッパー102を含む。アッパー102およびソール構造104の各々は、セメントもしくは接着剤の使用を介すること、機械的コネクタの使用を介すること、および／または融合技術を介すること（たとえば、ホットメルト材料の融解または融合接合など）を含む、フットウェア技術分野において公知であり、使用されているような従来のやり方を含む、任意の所望のやり方で共に係合し得る、複数の部品部分を構成し得る。アッパー102およびソール構造104は、セメントもしくは接着剤の使用を介すること、機械的コネクタの使用を介すること、および／または融合技術（たとえば、ホットメルト材料の融解または融合ボンド法などを含む）を介することを含む、フットウェア技術分野において公知であり、かつ使用されているような従来のやり方を含む、任意の所望のやり方で、お互いと係合し得る。幾つかの構成技術の例は、以下でより詳細に記載される。
【００３２】
アッパー102は、本発明から逸脱することなく、任意の所望の材料および／または材料の組合せから作製され得る。この図示された例において、アッパー102は、アッパー区域全体のすべてまたは幾らかの部分を覆う種々の層を有する、多層式構造を含む。幾つかのより具体的な例において、アッパー102は、内側布または織物層によって少なくとも幾つかの区域において挟まれた中間メッシュ層（たとえば、足との快適な接触のため）、および外側「表皮」層106（たとえば、特定の区域でより良好な支持を提供するため、特定の区域内に耐摩耗または耐摩滅性を提供するため、所望の美しさを提供するなどのために熱可塑性ポリエチレンフィルムから作製される）を含むであろう。内側布もしくは織物層、メッシュ層および／または表皮層106のいずれも、アッパー102の外面全体を覆うように伸びている必要はない。むしろ、種々の層の位置は、たとえば、通気性を改善するため、屈曲性を改善するため、異なる美的外観（たとえば、図1Aに示されるように、下層のメッシュ材料108から「LOGO」または他の設計特徴を見せるための表皮層106内の開口部）を提供するなどのために特定の区域で表皮層106を省くことによって、アッパーの特性を制御するように選択され得る。また、図1Aおよび1Bに示されるように、アッパー102は、足首開口部110を画定し得、その周りに快適性向上フォームまたは布リング112が、所望の場合、提供され得る。アッパーの底面は、内側および外側を連結する内側ストローベル（stroebel）部材を含み得る（たとえば、ストローベル部材は、アッパーの内側および外側縁部に縫い付けられ得る）。
【００３３】
多層式アッパー構造は、フットウェア技術分野において公知であり、かつ使用されるような従来のやり方を含む、本発明から逸脱しない任意の所望のやり方で、製造され得る。たとえば、所望の場合、表皮層106は、接着剤またはホットメルト材料を使用して、従来のやり方で、たとえば、熱および／または圧力の適用によって、下層のメッシュ層108（または他の層）に接着させられ得る、「非縫い付け」型材料から作製され得る。追加例として、所望の場合、表皮層106は、セメントもしくは接着剤によって、および／または縫い付けられた縫い目によって、下層のメッシュ層108（または他の層）と係合し得る。さらなる追加例として、所望の場合、アッパー106（またはその部分）は、融合技術を使用して、たとえば、米国特許出願公開第2011/0088282号および米国特許出願公開第2011/0088285号（それら各々は、参照により全体として本明細書に組み入れられる）に記載されているように、材料の種々の層を接合することによって構成され得る。
【００３４】
アッパー102は、所望の位置の、たとえば、外側表皮層106と下層のメッシュ層108との間に挟まれた、他の支持要素を含み得る。たとえば、図1Aおよび1Bに示されるように、ヒールカウンタ114が、かかと区域に提供されて、装用者のかかとへより多くの支持を提供し得る。ヒールカウンタ114は、PEBAX、TPU、または他のポリマー材料のような硬質で薄いプラスチック材料から作製され得、それは、1つまたは複数の開口部を含み得る（たとえば、屈曲性、通気性、支持特徴を制御するため、重量を減らすため、など）。必要ならばまたは所望の場合、追加的支持体が、靴100の他の区域内、（保護および耐摩耗性を提供するなどのために）たとえば前足部またはつま先区域内、第5中足骨先端部などの近くの外側区域に提供され得る。表皮材料106は、十分に薄くかつ適合性であってよく、表皮材料106の外方表面が下層の層の表面特徴に一致するように十分に、下層の材料に押し付けられ得る。このやり方において、所望の場合、下層のメッシュ層108、ヒールカウンタ114、および／または任意の他の下層の材料または構造の外面のテクスチャーが、表皮層106を通して認識することができる。
【００３５】
ここで、この例示的フットウェア製品100のソール構造104を、より詳細に説明する。図1A〜1Cに示されるように、この例示的ソール構造104は、装用者の足の足底表面全体を支持するようにこの特定の構造104内、すなわち靴100の後部かかと区域から靴100のフロントつま先区域まで、および靴100の外側縁部（図1A）から内側縁部（図1B）まで伸びている、単一ミッドソール部品118を含む。他のミッドソール構成が可能であるが、本発明の幾つかの例によれば、ミッドソール部品118は、フォーム材料を構成し得る（たとえば、エチルビニルアセテート（「EVA」）フォーム、ポリウレタンフォーム、ファイロンフォーム、およびフィライトフォーム）。本発明の幾つかのより具体的な例において、ミッドソール部品118は、0.25g/cm3未満の密度を有するフォーム材料から少なくとも部分的に作製されるであろう（幾つかの例では、0.2g/cm3未満、0.075〜0.2g/cm3の範囲内、さらには0.1〜0.18g/cm3の範囲内の密度）。所望の場合、フォーム材料は、その材料内に画定された1つもしくは複数の開口部および／またはそれに含まれる別の衝撃力減衰部品、たとえば、流体充填ブラダを含み得る。本発明の特定の態様において、ミッドソール部品118全体は、この軽量フォーム材料（たとえば、上記のような密度特徴を有する）を構成し、装用者の足全体（たとえば、足底表面全体）を支持するように伸びているであろう。図1A〜1Cの例では、フォームミッドソール部品118は、点線のハッチングで図示されている。代替的に、ミッドソール部品118は、所望ならば、複数の部品ミッドソール（たとえば、フォーム）部分から作製されてもよい。
【００３６】
幾つかのさらにより具体的な例として、ミッドソール部品118の少なくとも幾らかは、たとえば米国特許第7,941,938号（本特許は、参照により全体として本明細書に組み入れられる）に記載されているようなフォーム材料から作製され得る。本発明による少なくとも幾つかの例示的フットウェア構造100において、ミッドソール部品118のすべて、実質的にすべて、または少なくとも幾らかの部分は、約10〜約100％水素化または非水素化アクリロニトリルブタジエンコポリマー、0〜約40％修飾水素化アクリロニトリルブタジエンコポリマー、および0〜約90％αオレフィンコポリマーの反応生成物、ならびにフォーム材料を形成するために適した量の少なくとも1種の添加剤を含む、フォーム材料を含み得る。このフォーム材料は、軽量で海綿質の感触を有し得る。フォーム材料の密度は、概して、0.25g/cm3未満、0.20g/cm3未満、18g/cm3未満、0.15g/cm3未満、0.12g/cm3未満、および一局面では約0.10g/cm3であり得る。例示的範囲として、フォーム密度は、たとえば0.05〜0.25g/cm3の範囲内、または上記で述べた種々の範囲内にあり得る。
【００３７】
また、本発明の少なくとも幾つかの例によれば、ミッドソール部品118のためのフォーム材料の弾力性は、40％を超える、45％を超える、少なくとも50％、および一局面では50〜70％であり得る。圧縮永久ひずみは、60％以下、50％以下、45％以下、幾つかの例では、20〜60％の範囲内であり得る。この例示的ミッドソール部品118のためのフォーム材料の硬度（Durometer Asker C）は、たとえばフットウェアのタイプに応じて、たとえば、25〜50、25〜45、25〜35、または35〜45であり得る。フォーム材料118の引っ張り強さは、少なくとも15kg/cm2、典型的には15〜40kg/cm2であり得る。伸び率の％は、150〜500であり、典型的には250を超える。引裂き強度は、6〜15kg/cmであり、典型的には7を超える。本発明による少なくとも幾つかの例示的構成において、ミッドソール部品118の少なくとも幾らかの部分のフォーム材料は、より低いエネルギー損失を有し得、かつ従来のEVAフォームよりも軽量であり得る。エネルギー損失は、30％未満、任意で約20％〜約30％の範囲内であり得る。追加例として、所望の場合、ミッドソール部品118の少なくとも幾らかの部分は、Beaverton, OregonのNIKE, Inc.から入手可能なフットウェア製品のLUNARファミリーに使用されるフォーム材料から作製され得る。
【００３８】
上記段落は、本発明の幾つか例によるミッドソール部品118のためのフォーム材料の潜在的な特性および特徴を説明するが、当業者は、ミッドソール部品118が本発明から逸脱することなく他の所望の特性、特徴、および／または特徴の組合せを有し得ることを認識するであろう。他の軽量フォームもまた、使用され得る。以下でより詳細に記載されるケージ部品のため、軽量フォームミッドソール部品118は、使用時に地面と接するのに十分な硬度、耐久性、および／または耐摩滅性を必ずしも有する必要はない。
【００３９】
図1A〜1Cは、さらに、ミッドソール部品118が、複数の「ケージ部品」によって種々の区域において部分的に覆われていることを示す。これらのケージ部品は、軽量フォームミッドソール材料118を保護し、かつ地面と係合するために必要な程度の硬度、耐久性、および／または耐摩滅性を提供する。4つのケージ部品が、図1A〜1Cの例示的構造に示されている、すなわち：（a）後部かかとケージ部品120a（フォームミッドソール部品118の後部かかと区域の一部分を覆う）、（b）前部かかとケージ部品120b（フォームミッドソール部品118の前部かかと区域の一部分を覆う）、（c）中足部ケージ部品120c（フォームミッドソール部品118の中足部区域の一部分を覆う）、および（d）前足部ケージ部品120d（フォームミッドソール部品118の前足部区域の一部分を覆う）。図1Cに最も良く示されているように、これらの例示的ケージ部品120a、120b、120c、および120dの各々は、ソール構造104の外側（外方）からソール構造104の内側（内方）まで、連続的または不断的方法で伸びている部分を含む。ケージ部品120a、120b、120c、および120dは、本発明から逸脱することなく、任意の所望の材料から作製されてよく、かつ／または任意の所望の特性を有してもよいが、本発明による幾つかの例示的靴構造100では、ケージ部品120a、120b、120c、および120dは、同じまたは異なる材料から作製されてよく、任意で、各々は、少なくとも部分的に、エチルビニルアセテートフォーム、ポリウレタンフォーム、ファイロンフォーム、フィライト材料、およびゴム材料からなる群より選択される1つまたは複数の材料から作製されていてよい。本発明の幾つかの例では、ケージ部品120a、120b、120c、および120dは、少なくとも部分的に、ミッドソール部品118のフォーム材料の密度よりも高い密度を有するフォーム材料（幾つかのより具体的な例として、0.2g/cm3より大きい密度、幾つかの例では0.25g/cm3より大きい密度を有する、エチルビニルアセテートフォーム材料、ポリウレタンフォーム材料、および／もしくはファイロンフォーム材料から、ならびに／または米国特許第7,941,938号に記載されているシェル材料のような材料から）から作製され得る。1つの位置でのケージ部品の材料は、別の位置でのそれとは異なり（たとえば、密度、硬度、耐摩滅性、色、厚さなどにおいて）、所望の位置で所望の特性を提供してもよい。ケージ部品は、ソール構造104のための主要な接地要素として働くように、ソール構造104周囲に位置し得る。
【００４０】
所望の場合、本発明の少なくとも幾つかの例によれば、ケージ部品120a、120b、120c、および120dは、より自然な屈曲および動きをフットウェアおよび／またはソール構造104全体に提供するように、サイズ決定され、成形され、かつ方向付けられ得る（たとえば、より厳密に足の自然な動きに対応するやり方で、ソール構造104の屈曲を促進するために）。たとえば、図1Cに示すように、空間122は、フォームミッドソール部品118の外面（その底面および側面の両方）が空間122に露出し得るように、後部かかとケージ部品120aと前部かかとケージ部品120bとの間に提供される。同様に、空間124は、フォームミッドソール部品118の外面（その底面および側面の両方）がこの空間124に露出し得るように、前部かかとケージ部品120bと中足部ケージ部品120cとの間に存在する。第三の空間126は、中足部ケージ部品120cと前足部ケージ部品120との間に存在し、フォームミッドソール部品118の外面（その底面および側面の両方）は、この空間126に露出していてもよい。空間122、124、および126は、ソール構造104の内側から外側まで実質的に横方向に連続的に（かつ不断で）伸びている、少なくとも幾つかの部分を含む。このやり方では、空間122、124、および126は、空間を画定するケージ部品間に、実質的に横の屈曲ラインを提供する。図示された例におけるこれらの空間122、124、および126の横方向の広がりは、たとえば、正常な歩行またはランニングステップサイクルの間の足の自然な屈曲区域に対応する位置に提供される。追加的に、この図示された例100において、前足部ケージ部品120dは、ソール構造104の前足部領域のための屈曲ラインとしても機能する、肉薄または凹み横領域128を含む。代替的に、所望の場合、前足部ケージ部品120dの肉薄または凹み横領域128のすべてまたは幾らかの部分が排除されて、それによって、ミッドソール部品118を露出させ、かつ前足部ケージ部品120を2つ（またはそれ以上）の別個のケージピースに分割することもできる。
【００４１】
隣接するケージ部品120a、120b、120c、および／または120dの間の空間122、124、および／または126は、屈曲ラインを画定する比較的狭い線形空間に限定されない。たとえば、図1Cに示すように、ケージ部品120aおよび120bは、空間122の中間部分が狭い線形セグメントよりも実質的に大きいような、略U字形周囲を有する。むしろ、図1Cに示されるように、ケージ部品120aと120bとの間の比較的接近した空間122は、ミッドソール部品118の底が露出している大きい開口区域122aに開口しているか、または変形する。この図示された例において、第一の空間122内に露出しているフォームミッドソール部品118の外面は、フットウェア製品および／またはソール構造の横方向での最大幅または全幅寸法Wよりも、フットウェア製品および／またはソール構造の縦方向でより長い最大長さまたは全長寸法Lを有する。図1Dを参照のこと。対照的に、この図示された例では、第二の空間124内に露出しているフォームミッドソール部品118の外面124aは、フットウェア製品および／またはソール構造の縦方向での最大長さまたは全長寸法よりも、フットウェア製品および／またはソール構造の横方向で、より広い最大幅または全幅寸法を有する。また、第三の空間126内に露出しているフォームミッドソール部品118の外面126aは、実質的にU字形の周囲Pを含む（図1D）。
【００４２】
ケージ部品120a〜120dは、本発明から逸脱することなく、当技術分野において公知であり、かつ使用されているような従来のやり方を含む、任意の所望のやり方で、フォームミッドソール部品118（および／またはフットウェア構造100の任意の他の部分）と係合し得る。幾つかのより具体的な例として、所望の場合、フォームミッドソール部品118は、ケージ部品120a〜120dがたとえばセメントまたは接着剤によって、機械的コネクタによって、融合技術によってなどで凹部内に嵌りかつ係合するように、ケージ部品120a〜120dの境界表面のような形状をしている凹部を含むよう成型され得る（たとえば、射出成形、圧縮成形、ブロー成形などによって）。ケージ部品120a〜120dはまた、たとえば、上述のもののような成型プロセスによって形成され得る。ミッドソール部品118の露出している底面および／または側面の少なくとも幾つかの部分が、ソール構造104全体において、隣接するケージ部品120a〜120dの底および／または側面に対して凹んでいるように、種々の部分は、適切に成形され得る（そのため、ケージ部品120a〜120dは、ミッドソール部品118と比較して地面との増加した相互作用を有する）。底面122a、124a、および126aの少なくとも幾つかの部分では、隣接するケージ部品120a〜120dの底面から凹まされ得る。ミッドソール部品118の底面126a内に形成された追加的凹部もまた、選択された区域で肉薄ミッドソール領域を提供して、概して縦および／または横方向への屈曲をより良好に支持するために、位置し得る（たとえば、以下でより詳細に記載される、隣接するアウトソール部品間に）。
【００４３】
屈曲の利点を提供することに加えて、切り離されたまたは区画化されたケージ部品として外側保護ケージを提供することは、ソール構造全体に対して有意な軽量化をもたらすが（ミッドソール部品118を完全に覆うケージ部品と比較して）、依然として十分な耐久性のある、強固な耐摩滅性のソール構造104を提供する。この図示した構造において、ミッドソール部品118は、ソール構造の使用可能な寿命を向上させるために、圧力および摩耗の区域でケージ部品によって十分に覆われており、かつたとえば典型的にはより少ない圧力および／または摩耗に曝される区域では露出したままおよび／または凹んだままである。
【００４４】
追加的特徴を、耐摩耗性およびトラクションを向上させるために提供してもよい。この図示された構造100において、ソール構造104の底面は、使用時に地面または他の接触面に直接、接するように設計された離れた複数のアウトソール部品を含む。アウトソール部品の任意の所望の数、形状、および／または配置が、本発明から逸脱することなく使用され得るが、この図示された例示的ソール構造104は、ケージ部品120a〜120d上に取り付けられた7個のアウトソール部品、すなわち：（a）後部かかとアウトソール部品130a（これは、この例では、外側から内側まで後部かかとの周囲に伸びている）、（b）前部外側かかとアウトソール部品130b、（c）外側中足部アウトソール部品130c、（d）内側中足部アウトソール部品130d、（f）外側前足部アウトソール部品130e、（f）内側前足部アウトソール部品130f、および（g）フロント前足部アウトソール部品130g（これは、この例では、外側から内側までつま先区域の周囲に伸びている）を含む。これらのアウトソール部品は、比較的薄い円盤またはプレート様部材であり、それらが係合する凹部内またはケージ部品の外方表面内に成型された他の構造内に係合している。
【００４５】
所望の場合、追加的アウトソール部品が、たとえば、ミッドソール部品118の露出している外面上に直接、提供され得る。これは、空間126の表面126a上（たとえば、空間126内のミッドソール部品118の隆起区域および／または区画上）に提供されたアウトソール部品130h、130i、130j、および130kによって、図1Cの例示的ソール構造104において示される。
【００４６】
アウトソール部品130a〜130kは、概して横方向にのみ伸びているハッチングによって、図1Cに示される。このハッチングはまた、たとえば、隆起したリッジ、凹んだ溝、間隙、滑り止め、突起、角錐、角錐台、円錐、円錐台、または他のトラクション要素を含む、任意の所望のタイプのトラクションを向上する構造、パターン、または構造を表すとみなされ得る。より多いまたはより少ないアウトソール部品が、本発明から逸脱することなく、ソール構造104に含まれてよく、かつ／または所望の場合、特定されたアウトソール部品の幾つかは、組み合わされて単一のアウトソール部品となり得る。
【００４７】
任意の所望の材料が、当技術分野において従来から公知であり、かつ使用されているようなアウトソール材料を含み、本発明から逸脱することなく、アウトソール部品130a〜130kのために使用され得る。例は以下を含む：ゴム含有材料、熱可塑性ポリウレタン含有材料、ファイロン、フィライト、他のプラスチックなど。アウトソール部品130a〜130kは、当技術分野において従来から公知であり、かつ使用されているような成型方法を含む、任意の所望の方法によって作製され得る。アウトソール部品130a〜130kは、ケージ部品120a〜120dおよび／またはミッドソール部品118の外方表面内に形成された（たとえば、成型された）凹み区域または受け部内に嵌るように成形され得、セメントまたは接着剤、機械的コネクタ、融合技術などを用いることを含む、任意の所望のやり方でそれにしっかりと固定され得る。アウトソール部品130a〜130kは、たとえば、約1/8インチ〜約1/2インチの任意の所望の厚みを有し得る。
【００４８】
ケージ部品120a〜120dの底面の幾つかの露出している区域は、アウトソール要素が地面と係合することなく、地面に接し得る表面を含み得る。そのような区域の例は、図1A〜1Cにおいて区域132a、132b、および132cとして示されている（図1Cにおいて、交差した横および縦ハッチングによって識別される）。これらの区域132a〜132cは、地面と係合するために十分な高さを有し得るが、より少ない摩耗を受け得る（したがって、アウトソール部品と同様の追加的保護の必要がない）。所望の場合、区域132a、132b、および132cの露出している表面は、たとえば、上記の種々のタイプのトラクション要素を含み得る。代替的に、所望の場合、これらの区域は、硬度、耐摩滅性、耐摩耗性などを増すために他のやり方で、たとえば、フォーム材料を硬化剤などでコーティングするか、または含浸させることによって、処理され得る。
【００４９】
この図示された例示的構造104において、区域132aは、ソール構造104の外側前部かかと区域上に位置し、区域132bは、ソール構造104の内側前部かかと区域上に位置する。ステップサイクルにおいて、ユーザは、典型的には、靴の後部外側かかとで着地し、ステップが進むにつれ、体重は、前部かつ足の内側に向かって移動する。したがって、区域132aおよび132bは、ステップサイクルの間、足の他の区域よりも、より少ない衝撃力を受け、および／またはより少ない体重を支持し得、かつ／あるいは、隣接するアウトソール部品130aおよび130bによって、過剰な摩耗から十分に保護され得る。これらの区域132aおよび132bでのアウトソール部品の欠如はまた、幾分より柔軟で、より快適な全体的な接地感触を提供し得る。区域132cはまた、アウトソール部品130gの包囲部分によって過剰な摩耗から十分に保護され得る（アウトソール部品130gがどのように（たとえば、3つの側面で）露出している前足部ケージ区域132cを部分的に包囲するかに留意のこと）。区域132cが、典型的には足を次のステップに推進するために使用される親指の真下に位置するので、区域132cでのアウトソール部品の欠如は、ステップサイクルの蹴り出しまたはつま先離れのために、快適でより柔軟な感触を提供する。また、より少ないアウトソール部品は典型的には、ソール構造重量を減らすであろう。
【００５０】
一例示的構成が、図1A〜1Cに示されているが、当業者は、種々のケージ部品、アウトソール部品、および／または露出している底ミッドソール区域が、本発明から逸脱することなく、サイズ、形状、向き、構成、および／または数において大きく異なってもよいことを認識するであろう。
【００５１】
図1Aおよび1Bは、本発明の少なくとも幾つかの例によるソール構造104に含まれ得る別の特徴を示す。これらの図に示されるように、種々のケージ部品120a〜120dの外方縁部または側部の少なくとも幾らかの部分は、「波状の構造」134を含み得る。本明細書において使用される用語「波状の構造」は、該要素の外面形状が、波の外面形状、たとえば、一連の波頭（最外方部分）および波頭間の谷を有する波様構造を有することを意味する。ソール構造において、「波状の構造」は、従来の波と同じやり方で膨張および圧縮する必要はない。図示された例104において、ケージ部品120a〜120dの各々は、一連の2つの波134（たとえば、2つの積み重ねられた円盤のように見える）を有する。これらの波134は、ケージ部品120a〜120dの最上の波134がフォームミッドソール部品118の上部縁部に沿って提供された追加の波状の構造136に隣接するように（任意で、上から下の方向に全体に一貫した波構造の外観を与えるように）、配置される。
【００５２】
波状の構造134のサイズ、数、形状、および／または他の特徴は、フットウェア製品の感触を制御するように選択され得る。典型的には、より深い波（すなわち、波頭から隣接する波くぼの底までのより大きい寸法）は、より応答性の感触を提供するであろう（たとえば、原形へのより速い戻り）。ミッドソール部品118および／またはケージ部品120a〜120dのサイズ、密度、および／または硬度もまた、装用者の足に対するソール構造104の感触の制御を可能にするように、制御してもよい。
【００５３】
任意の所望のタイプのアッパー102が、上記のフットウェア構造に含まれ得るが、図1Aおよび1Bは、図2Aおよび2Bと共に、本発明の少なくとも幾つかの例によるフットウェア100の製品に含まれ得る、アッパー構造102の一部分に関する追加的詳細を提供する。図1Aおよび1Bに示されるように、アッパー102は、インステップ開口部の外側および内側の両方に複数のひも係合要素202を有する、インステップ開口部を含む。これらのひも係合要素202は、任意で金属もしくはプラスチック製のひも穴および／または耐引裂き支持材料204（これは、アッパー材料の別の層（図1Aおよび1Bに示されるような、ひも係合区域202周りの）を構成し得る）によって強化された、アッパーの材料中の孔であり得る。この図示された例において、耐引裂き支持材料204は、特定された位置でアッパー部材102を補う、メッシュ材料108の外側に融合された（たとえば、ホットメルト接合された）または接着接合された、アッパー材料の追加層を構成する。従来のどおり、舌革部材206は、ひも208が装用者の足に締め付けられるとき、ひも208の圧力および感触を調節するのを助けるために提供され得る。舌革部材206は、縫い付けることによって（たとえば、ステッチ線240を参照のこと）、融合技術などによって、アッパー102と係合してよく、かつ／またはそれは、アッパー102の他の部分と一体ピースとして形成されてもよい追加的または代替的に、所望の場合、内側ブーティ要素が、フットウェアの内側に提供されてよく、このブーティ要素は、締め付けたひも208に関連する圧力および感触を少なくとも部分的に調節し得る。
【００５４】
また、図1Aおよび1Bに示されているが、図2Aは、個々のひも係合要素202の周囲の区域の拡大図を提供する。ひもをさらに支持するために、かつ装用者の足周りで密接でぴったりとしたフィット（たとえば、包み込みフィット）を提供するために、これらの図に示されるように、靴の外側および内側の各々上で、ひも係合要素202の少なくとも1つは、ひも係合要素202の周囲に巻き付けられる、少なくとも1つの細長いワイヤーまたは織物部品210aを含む。図示された例において、幾つかのひも係合要素202（ひも穴）は、アッパー材料およびひも208を支持するために、ひも係合要素202の周囲に巻き付けられる2つの個々の細長いワイヤーまたは織物部品（210aおよび210b）を含む。任意の所望の数の細長いワイヤーまたは織物部品が、本発明から逸脱することなく、個々のひも係合要素202の周囲に提供され得る（たとえば、1〜4個）。
【００５５】
図2Bに示される構造では、内側の細長いワイヤーまたは織物部品210aが、ひも係合要素202の下でそれ自体交差し、また、そのひも係合要素202の上部を包み込むということを除いて、図2Bは、図2Aの図と類似した図を示す。追加的または代替的に、所望の場合、外方の細長いワイヤーまたは織物部品210bは、同じやり方で交差し得る。なお追加的な代替例として、所望の場合、細長いワイヤーまたは織物部品210aおよび／または210bは、複数回、ひも係合要素202の周囲に巻き付けられてよい。さらに別の代替例として、所望の場合、細長いワイヤーまたは織物部品は、靴の片側で、2つまたはそれ以上の隣接するひも係合要素202の周囲に伸びていることもできる（たとえば、細長いワイヤーまたは織物部品が、第一のひも係合要素の第一の側の周囲に伸びており、アッパーに沿って次の隣接するひも係合要素まで伸びており、それから当該次の隣接するひも係合要素（または、そのラインよりさらに下方のひも係合要素）の反対側の周囲に伸びているように）。細長いワイヤーまたは織物部品をアッパー上および／またはひも係合要素202の周囲に構成する様々なやり方が、本発明から逸脱することなく、使用され得る。
【００５６】
細長いワイヤーまたは織物要素210aおよび／または210bは、張力に抵抗し、かつ張力方向の張りに耐えることができる（少なくとも、この環境において予想される張力に対して）材料の一次元撚糸（one-dimensional strand）を含む、任意の所望の材料から作製され得る。本開示に関して利用されるとおり、用語「一次元」材料（またはその変形）は、幅および厚みよりも実質的により長い長さを示す、概して細長い材料を包含することを意図される。したがって、本明細書に記載される細長いワイヤーまたは織物要素に適する材料は、レーヨン、ナイロン、ポリエステル、ポリアクリル酸、絹、綿、炭素、ガラス、アラミド（たとえば、パラアラミド繊維およびメタアラミド繊維）、超高分子量ポリエチレン、液晶ポリマー、銅、アルミニウム、および鋼から形成される、種々の細糸、繊維、紡績糸、糸、ケーブルまたはロープを含む。細糸は、不定の長さを有し、かつ本明細書に記載される態様による撚糸として個々に利用され得るが、繊維は、比較的短い長さを有し、概して、適した長さの撚糸を製造するために糸紡ぎまたはねん糸プロセスを経る。本明細書に記載されるとおりの引張撚糸に利用される個々の細糸は、単一材料（すなわち、単一成分細糸）から、または複数の材料（たとえば、複合細糸）から形成され得る。同様に、異なる細糸は、異なる材料から形成され得る。一例として、引張撚糸に利用される紡績糸は、各々一般材料から形成される細糸を含み得るか、各々2種またはそれ以上の異なる材料から形成される細糸を含み得るか、あるいは各々2種またはそれ以上の異なる材料から形成される細糸を含み得る。同様の概念が、糸、ケーブルまたはロープにも適用される。細長いワイヤーまたは織物要素の各々の厚み（たとえば直径）はまた、著しく変わり、たとえば、0.03ミリメートル〜5ミリメートルまたはそれ以上まで変動し得る。細長いワイヤーまたは織物要素210aおよび／または210bは、たとえば、2012年6月21日に出願された「FOOTWEAR INCORPORATING LOOPED TENSILE STRAND ELEMENTS」と題する米国特許出願第13/529,381号に開示されているように（本開示は、参照により全体として本明細書に組み入れられる）、任意のサイズ、形状、および／または構成を持ち得る。
【００５７】
細長いワイヤーまたは織物部品210aおよび210bは、上述の米国特許出願第13/529,381号に開示された種々のやり方を含む、本発明から逸脱することない任意の所望のやり方で、アッパー102と係合し得る、かつ／または組み込まれ得る。幾つかのより具体的な例として、細長いワイヤーまたは織物部品210aおよび210bは、刺繍によって、または縫い付けもしくはステッチなどによって、アッパー102を備えた耐引裂き支持材料204と係合してもよい。図示された例では、図2Aに示すように、細長いワイヤーまたは織物部品210aおよび210bは、1つまたは複数の刺繍またはステッチが施されたライン212によって、耐引裂き支持材料204を含む区域でアッパー102と係合している。この図示された態様では、ひも受入開口部またはひも穴202の周囲に巻き付けられる細長いワイヤーまたは織物部品210aおよび／または210bの少なくとも幾つか（任意でこれらの部品すべて）は、アッパー102の外面に固定された第一の部分（この例では、耐引裂き支持材料204上）およびアッパー102の外面に固定されていない第二の部分（耐引裂き支持材料204の下方）を含む。したがって、細長いワイヤーまたは織物部品210aおよび210bは、この図示された例示的構造では、耐引裂き支持材料204の下方の位置でアッパー102から自由に離れ得る。
【００５８】
図示された例では、細長いワイヤーまたは織物部品210aは、細長いワイヤーまたは織物部品210bによって画定された空間または区域内に完全に収容される。他の構成が可能であり、たとえば、細長いワイヤーまたは織物部品210aおよび210bは互いに交差する。また、これらの図示された例では、関連する細長いワイヤーまたは織物部品を有する各ひも係合要素202は、一対の細長いワイヤーまたは織物部品210aおよび210bを含む。これはまた、必要条件ではない。異なるひも係合要素が、本発明から逸脱することなく、異なる数および／または構成の細長いワイヤーまたは織物部品を含み得る。所望の場合には、幾つかのひも係合要素202は、関連するワイヤーまたは織物部品を有しなくてもよい。また、所望の場合、1つのひも係合要素202に関連する細長いワイヤーまたは織物部品210aおよび210bは、他のひも係合要素202（たとえば、直接隣接したひも係合要素202）に関連する1つまたは複数の細長いワイヤーまたは織物部品210aおよび／または210bと交差してもよい。細長いワイヤーまたは織物部品の様々な具体的な構成および向きが、本発明から逸脱することなく可能である。細長いワイヤーまたは織物部品の構成、色、および／または他の特徴（たとえば、交差、重なりなど）は、所望の美的外観を作り出すようにも選択され得る。
【００５９】
図1Aおよび1Bは、本発明の少なくとも幾つかの例によるアッパー構造102内に含まれ得る細長いワイヤーまたは織物要素210aおよび210bの追加的特徴を図示する。これらの図に示されるように、細長いワイヤーまたは織物部品210aおよび210bの少なくとも幾つかは、以下を含み得る：（a）アッパー102とフォームミッドソール部品118の上面との間に位置する第一の端部、（b）アッパー102とフォームミッドソール部品118の上面との間に位置する第二の端部、および（c）ひも支持部材202（たとえば、開口部またはひも穴）の周囲に巻き付けられる、第一の端部と第二の端部との間の中間部分。この図示された例では、これらの端部の近く（たとえば、フォームミッドソール部品118の近く）の細長いワイヤーまたは織物部品210aおよび210bの区域は、表皮層106によって覆われ得る。
【００６０】
製造では、細長いワイヤーまたは織物部品210aおよび／または210bは、（a）それらの中間部分でひも支持部材202の周囲に（たとえば、刺繍、ステッチング、縫い付けなどによって）係合し、（b）少なくとも幾分、張られるまたは締め付けられ（たとえば、過剰な緩みを排除するため）、次に（c）アッパーのメッシュ材料108と表皮材料106との間に、たとえば、接着剤またはセメントによって、融合接合技術によってなどで固定され得る。ひとたびアッパーが製造されたら、それは、細長いワイヤーまたは織物部品210aおよび／または210bが靴型の両側を回って靴型の真下の位置まで包み込むように、靴型周りと係合し得る。細長いワイヤーまたは織物部品は、アッパー構造102の一部として含まれる任意のストローベル部材の外側の周囲と係合し得る。細長いワイヤーまたは織物部品210aおよび／または210bは次に、たとえばセメントまたは接着剤によって、アッパー102とミッドソール部品118の上面との間に固定され得る。他の構造、技術、および／または工程の順序づけは、本発明から逸脱することなく可能である。別の可能性のある代替例として、所望の場合、細長いワイヤーまたは織物部品210aおよび／または210bは、単一の細長いワイヤーまたは織物部品210aおよび／または210bが靴の内側および外側の両方で1つまたは複数のひも係合支持体202の周囲に巻き付けられるように、アッパーの底面を完全に横切るように伸びていてもよい。したがって、細長いワイヤーまたは織物部品の少なくとも幾つかは、所望の場合、装用者の足を包み込むためにアッパーの両側上のひも受入要素202の周囲に伸びている連続ループを構成し得る。
【００６１】
足の足底表面の真下に少なくとも部分的に伸びていることによって、細長いワイヤーまたは織物部品210aおよび／または210bは、ひも208が引かれて締め付けられると、アッパーで足を包むのを助け、それによって足周りに密接で、ぴったりとした支持的なフィットを提供する。代替的に、所望の場合、細長いワイヤーまたは織物部品210aおよび／または210bは、省略してもよく、かつ／または他のアッパー構成102が、本発明から逸脱することなく、上記のソール構造104と共に使用することができる。
【００６２】
上述のように、所望の場合、細長いワイヤーまたは織物部品210aおよび／または210bの他の構成を、本発明から逸脱することなく、アッパー構造102において提供してもよい。図2Bは、内側の細長いワイヤーまたは織物部品210aが、ひも支持部品202の下方の位置で、それ自体で交差している構成を示す。所望の場合、この部品210aは、複数回それ自体で交差してもよく、かつ／またはそれは、細長いワイヤーまたは織物部品210bと（または、1つもしくは複数の隣接する細長いワイヤーもしくは織物部品210aおよび／もしくは210bと）交差してもよい。同じように、所望の場合、細長いワイヤーまたは織物部品210bは、ひも支持部品202の下方の位置で1回または複数回それ自体で交差してもよく、かつ／あるいは、それは、隣接するひも支持構造202の細長いワイヤーまたは織物部品210aおよび／または210bと交差してもよい。
【００６３】
図3は、図1Cに示すものと類似するが、別の例示的ソール構造304を有する、フットウェア製品300の底面図を含む。図3が図1Cに示したものと同じ参照番号を含む場合、同じまたは類似部品が意図され、その詳細な説明は省略され得る（または少なくとも簡約される）。
【００６４】
図1Cに示したソール構造104と図3に示したソール構造304との間の1つの主な相違点は、図3のソール構造304が、縦方向への相対屈曲性（すなわち、ソール構造304の内側および外側の互いに対する屈曲性）をさらに増加させるための特徴を含むということである。この改善された外側-内側屈曲性は、1つまたは複数のケージ部品を分離させることによって、たとえば、靴300およびソール構造304の縦軸に沿う区域でおよび／またはその区域の近くで縦方向のケージ材料の少なくとも幾らかを排除することによって、達成される。
【００６５】
より具体的な例として、図3に示すように、単一の後部かかとケージ部品120aの代わりに、図3の構造では、後部かかとケージ部品は、フォームミッドソール部品118の外側後部かかと区域を覆う外側後部かかとケージ部品320a1、およびフォームミッドソール部品118の内側後部かかと区域を覆う内側後部かかとケージ部品320a2を含む。後部かかとアウトソール部品はまた、この図示された例示的構造304において2つの部分、すなわち、図3に示されるアウトソール部品330alおよび330a2に分けられる。これらの特徴は、フォームミッドソール部品118の外面が露出している最端後部かかと区域で、間隙350を残す。この間隙350は、かかと区域で概して縦方向のソール構造304の改善された屈曲性を提供することを助ける。
【００６６】
追加的または代替的に、図3にさらに示すように、この図示された構造304の前部かかとケージ部品も、2つの部分、すなわち、外側前部かかとケージ部品320b1（これは、フォームミッドソール部品118の外側前部かかと部分を覆う）および内側前部かかとケージ部品320b2（これは、ミッドソール部品118の内側前部かかと部分を覆う）で提供される。この構造は、前部かかとケージ部品320b1および320b2の内側の間に露出している、ミッドソール部品118の比較的大きい中央かかと部分を残す。
【００６７】
別の追加的または代替的特徴として、この図示した例示的ソール構造304において、中足部ケージ部品はまた、2つの部分、すなわち、外側中足部ケージ部品320c1（これは、フォームミッドソール部品118の外側中足部部分を覆う）および内側中足部ケージ部品320c2（これは、ミッドソール部品118の内側中足部部分を覆う）で提供される。この構造は、中足部ケージ部品320clおよび320c2の内側の間に露出した、ミッドソール部品118の比較的大きい中央の中足部部分を残す。図3に示すように、離れた前部かかとケージ部品320b1、320b2および中足部ケージ部品320c1、320c2の複合効果は、この例示的構造304において、ミッドソール部品118の大きい中央部分が露出して、後部かかと領域から前足部領域まで連続的に伸びていることである。
【００６８】
図3の構造には示していないが、所望の場合、追加的または代替的特徴として、前足部ケージ部品120dはまた、複数の独立した部品から作製することもでき、任意で、当該部品の間の境界が、概して縦方向および／または横方向に提供される（たとえば、肉薄区域128を交換する）。
【００６９】
縦屈曲性（たとえば、体重が足の外側から足の内側まで移動するときのステップサイクルの間）を増加することに加えて、図3のソール構造304は、ケージ部品材料および／またはアウトソール部品材料の量の減少のおかげで、図1Cの構造よりも幾分軽くなり得る。それは、図1A〜2Bと関連して先に記載した種々のタイプの同じアッパー102および／またはアッパー特徴を有し得るが、任意の他の所望のアッパー構成も、本発明から逸脱することなく、ソール構造304と共に使用することもできる。
【００７０】
III. 結び
本発明は、上記および添付図面において、様々な態様を参照して開示している。しかしながら、本開示によって果たされる目的は、本発明の範囲を限定することではなく、本発明に関連する種々の特徴および概念の例を提供することである。当業者は、特許請求の範囲によって定義されるとおりの本発明の範囲を逸脱することなく、上記の態様に対して数多くの変更および修飾がなされ得ることを認識するであろう。
【図１Ａ】
0006050498.tif 000002
【図１Ｂ】
0006050498.tif 000003
【図１Ｃ】
0006050498.tif 000004
【図１Ｄ】
0006050498.tif 000005
【図２Ａ】
0006050498.tif 000006
【図２Ｂ】
0006050498.tif 000007
【図３】
0006050498.tif 000008